(57)【特許請求の範囲】
【請求項１】
紙葉状の媒体を集積して収納する収納空間へ当該媒体を放出する放出部と、
前記収納空間内で前記媒体を集積する方向である集積方向に沿って移動可能であり、前記放出部から放出された前記媒体を載置するステージと、
前記収納空間において、前記放出部から前記媒体が放出される方向である放出方向及び前記集積方向とそれぞれ交差する幅方向に関して当該収納空間の最外部を規定し、当該幅方向の位置を変更可能である幅サイドガイドと、
前記放出部と前記幅サイドガイドとの間に位置し、前記幅方向に関して前記媒体を案内し、前記放出方向に対する傾斜角度を変更可能な傾斜サイドガイドと、
前記幅サイドガイドの前記幅方向の位置と前記傾斜サイドガイドの前記放出方向に対する傾斜角度とを連動させて調整可能な連動部と
を具えることを特徴とする媒体収納装置。
【請求項２】
前記傾斜サイドガイドは、前記放出部に対する位置が固定され前記集積方向に沿った回動軸を中心に回動し、
前記連動部は、前記放出方向に関し、前記幅サイドガイドと前記傾斜サイドガイドとの間隔を変化させながら、当該幅サイドガイド及び当該傾斜サイドガイドを連動させる
ことを特徴とする請求項１に記載の媒体収納装置。
【請求項３】
前記連動部は、
前記幅サイドガイド及び前記傾斜サイドガイドの何れか一方に形成され前記集積方向に沿った連動軸と、
前記幅サイドガイド及び前記傾斜サイドガイドの他方に形成され、前記連動軸の前記幅方向への移動を規制し、前記放出方向への移動及び回動を許容する連動軸受と
をさらに具えることを特徴とする請求項２に記載の媒体収納装置。
【請求項４】
前記傾斜サイドガイドは、前記放出部に対する位置が固定された回動軸を中心に回動し、
前記連動部は、前記放出方向に関し、前記放出部と前記幅サイドガイドとの間隔を変化させながら、当該幅サイドガイド及び前記傾斜サイドガイドを連動させる
ことを特徴とする請求項１に記載の媒体収納装置。
【請求項５】
前記傾斜サイドガイドは、前記幅サイドガイドに対する位置が固定された回動軸を中心に回動し、
前記連動部は、前記放出方向に関する前記放出部と前記傾斜サイドガイドとの間隔を変化させながら、前記幅サイドガイド及び前記傾斜サイドガイドを連動させる
ことを特徴とする請求項１に記載の媒体収納装置。
【請求項６】
前記連動部は、
前記幅サイドガイド及び前記傾斜サイドガイドの一方である付勢サイドガイドに対し、前記収納空間の内側又は外側へ向かう力を作用させる付勢部と、
前記幅サイドガイド及び前記傾斜サイドガイドの他方である規制サイドガイドの位置又は傾斜角度を固定することにより、前記付勢部による前記付勢サイドガイドの移動又は回動を規制してその傾斜角度又は位置を固定する固定部と
をさらに具えることを特徴とする請求項１に記載の媒体収納装置。
【請求項７】
前記幅サイドガイドは、前記幅方向の位置を段階的に変化させる
ことを特徴とする請求項１に記載の媒体収納装置。
【請求項８】
前記放出部に対する位置が固定されたフレームと、
前記幅サイドガイドに設けられた１又は２以上の位置決め部と、
前記フレームに設けられ、前記位置決め部と少なくとも互いの一部を当接させて前記幅サイドガイドの前記幅方向への移動を規制する１又は２以上の被位置決め部と
をさらに具えることを特徴とする請求項７に記載の媒体収納装置。
【請求項９】
前記傾斜サイドガイドは、前記放出方向に対する傾斜角度を段階的に変化させる
ことを特徴とする請求項１に記載の媒体収納装置。
【請求項１０】
前記放出部に対する位置が固定されたフレームと、
前記傾斜サイドガイドに設けられた１又は２以上の位置決め部と、
前記フレームに設けられ、前記位置決め部と少なくとも互いの一部を当接させて前記傾斜サイドガイドの傾斜角度を規制する１又は２以上の被位置決め部と
をさらに具えることを特徴とする請求項９に記載の媒体収納装置。
【請求項１１】
前記幅サイドガイド及び前記傾斜サイドガイドに対し前記収納空間と反対側に設けられ、前記ステージを前記集積方向に沿って移動させるステージ駆動部と、
前記傾斜サイドガイド及び前記幅サイドガイドの間に挿通され、前記収納空間内の前記ステージと当該収納空間外の前記ステージ駆動部とを繋ぐステージアームと
をさらに具え、
前記連動部は、前記ステージアームを挟んで前記傾斜サイドガイド及び前記幅サイドガイドを前記放出方向に離した状態で連動させる
ことを特徴とする請求項１に記載の媒体収納装置。
【請求項１２】
利用者から紙葉状の媒体を受け取る受取取引において前記利用者から前記媒体を受け取る受取部と、
前記受取部により受け取った前記媒体を集積して収納する収納空間へ当該媒体を放出する放出部と、
前記収納空間内で前記媒体を集積する方向である集積方向に沿って移動可能であり、前記放出部から放出された前記媒体を載置するステージと、
前記収納空間において、前記放出部から前記媒体が放出される方向である放出方向及び前記集積方向とそれぞれ交差する幅方向に関して当該収納空間の最外部を規定し、当該幅方向の位置を変更可能である幅サイドガイドと、
前記放出部と前記幅サイドガイドとの間に位置し、前記幅方向に関して前記媒体を案内し、前記放出方向に対する傾斜角度を変更可能な傾斜サイドガイドと、
前記幅サイドガイドの前記幅方向の位置と前記傾斜サイドガイドの前記放出方向に対する傾斜角度とを連動させて調整可能な連動部と
を具えることを特徴とする媒体取引装置。
【発明の詳細な説明】
【技術分野】
【０００１】
本発明は媒体収納装置及び媒体取引装置に関し、例えば紙幣のような紙葉状の媒体を介して所望の取引を行う現金自動預払機（ＡＴＭ：Automatic Teller Machine）等に適用して好適なものである。
【背景技術】
【０００２】
従来、金融機関等で使用される現金自動預払機等として、顧客との取引内容に応じて、例えば顧客に紙幣や硬貨等の現金を入金させ、また顧客へ現金を出金するものが広く普及している。
【０００３】
現金自動預払機としては、例えば顧客との間で紙幣の授受を行う入出金部と、紙幣を搬送路に沿って搬送する搬送部と、紙幣の金種及び真偽等を鑑別する鑑別部と、紙幣を一時的に保留する一時保留部と、再利用可能な紙幣を金種ごとに収納する紙幣収納庫と、再使用すべきでない紙幣を収納するリジェクト庫とを有するものがある。
【０００４】
この現金自動預払機は、入金取引において、顧客が接客部に紙幣を投入すると、投入された紙幣の短辺方向を進行方向に沿わせて搬送部により搬送し、鑑別部により正常紙幣と認識された紙幣を一時保留部へ収納する一方、取引すべきでないと鑑別された紙幣を接客部へ戻して顧客に返却する。
【０００５】
続いて現金自動預払機は、顧客により入金金額が確定されると、一時保留部に収納している紙幣を繰り出してその金種を鑑別部により再認識し、認識された金種に応じて各紙幣収納庫に収納すると共に、損傷の程度が大きいと認識された紙幣をリジェクト庫に収納する。
【０００６】
例えば図２３に示す紙幣収納庫５１６は、搬送部から搬送されてくる紙幣を放出部３６により収納空間３０ＳＣ内へ放出し、これをステージ３１上集積させる。この紙幣収納庫５１６には、ステージ３１の左右両側にそれぞれ左サイドガイド５３３Ｌ及び右サイドガイド５３３Ｒ（以下、これらをまとめてサイドガイド５３３と呼ぶ）が設けられている。このサイドガイド５３３は、左右の内側面により、ステージ３１上の紙幣の左右方向に関する位置を規制し、紙幣をできるだけステージ３１の中央に寄せた状態で整然と集積させる（例えば、特許文献１参照）。
【０００７】
このサイドガイド５３３は、例えば図２４に示すように、紙幣収納庫５１６のサイドフレーム５５０に対し固定ねじ５９０により固定される。
【先行技術文献】
【特許文献】
【０００８】
【特許文献１】特開２０１２−７６９１４号公報（第３図）
【発明の概要】
【発明が解決しようとする課題】
【０００９】
ところで紙幣は、一般に発行される国や地域により大きさが異なり、またそれぞれの国や地域においても金種ごとに大きさが異なることが多い。そこで紙幣収納庫５１６では、大きさ（特に左右方向の長さ）が異なる複数種類のサイドガイド５３３を用意しておき、現金自動預払機が設置される国や地域に応じて、すなわち取り扱う紙幣における長辺の長さの範囲に応じて、最適なサイドガイド５３３を選択して取り付けることが考えられる。
【００１０】
しかしながら紙幣収納庫５１６は、この場合、大きさや形状が異なる複数種類のサイドガイド５３３を用意する必要があるため、その製造や在庫の管理が煩雑になり、またコストの上昇にも繋がってしまう、という問題があった。
【００１１】
本発明は以上の点を考慮してなされたもので、部品の交換を伴わずに多種類の媒体に対応し得る媒体収納装置及び媒体取引装置を提案しようとするものである。
【課題を解決するための手段】
【００１２】
かかる課題を解決するため本発明の媒体収納装置においては、紙葉状の媒体を集積して収納する収納空間へ当該媒体を放出する放出部と、収納空間内で媒体を集積する方向である集積方向に沿って移動可能であり、放出部から放出された媒体を載置するステージと、収納空間において、放出部から媒体が放出される方向である放出方向及び集積方向とそれぞれ交差する幅方向に関して当該収納空間の最外部を規定し、当該幅方向の位置を変更可能である幅サイドガイドと、放出部と幅サイドガイドとの間に位置し、幅方向に関して媒体を案内し、放出方向に対する傾斜角度を変更可能な傾斜サイドガイドと、幅サイドガイドの幅方向の位置と傾斜サイドガイドの放出方向に対する傾斜角度とを連動させて調整可能な連動部とを設けるようにした。
【００１３】
また本発明の媒体取引装置においては、利用者から紙葉状の媒体を受け取る受取取引において利用者から媒体を受け取る受取部と、受取部により受け取った媒体を集積して収納する収納空間へ当該媒体を放出する放出部と、収納空間内で媒体を集積する方向である集積方向に沿って移動可能であり、放出部から放出された媒体を載置するステージと、収納空間において、放出部から媒体が放出される方向である放出方向及び集積方向とそれぞれ交差する幅方向に関して当該収納空間の最外部を規定し、当該幅方向の位置を変更可能である幅サイドガイドと、放出部と幅サイドガイドとの間に位置し、幅方向に関して媒体を案内し、放出方向に対する傾斜角度を変更可能な傾斜サイドガイドと、幅サイドガイドの幅方向の位置と傾斜サイドガイドの放出方向に対する傾斜角度とを連動させて調整可能な連動部とを設けるようにした。
【００１４】
本発明は、幅サイドガイドの幅方向に関する位置及び傾斜サイドガイドにおける傾斜角度をそれぞれ変更することにより、部品を交換すること無く収納空間の幅を変更でき、且つ何れか一方のサイドガイドの位置又は傾斜角度を変更するだけで、これに連動する他方の傾斜角度又は位置を、一方のサイドガイドに対応するように適切に変更できる。
【発明の効果】
【００１５】
本発明によれば、部品の交換を伴わずに多種類の媒体に対応し得る媒体収納装置及び媒体取引装置を実現できる。
【図面の簡単な説明】
【００１６】
【図１】現金自動預払機の構成を示す略線的斜視図である。
【図２】紙幣入出金機の構成を示す略線図である。
【図３】第１の実施の形態による紙幣収納庫の構成を示す略線図である。
【図４】第１の実施の形態による右サイドガイド部の全体構成を示す略線的斜視図である。
【図５】第１の実施の形態による右サイドガイド部の部品構成を示す略線的斜視図である。
【図６】第１の実施の形態による右サイドガイド部の部品構成を示す略線的平面図である。
【図７】第１の実施の形態による係合片及び係合板の構成を示す略線的断面図である。
【図８】第１の実施の形態における傾斜サイドガイドの傾斜角度及び幅サイドガイドの位置の変更を示す略線的平面図である。
【図９】第１の実施の形態による係合片及び係合板の係合箇所の変更を示す略線的断面図である。
【図１０】第２の実施の形態による右サイドガイド部の全体構成を示す略線的斜視図である。
【図１１】第２の実施の形態による右サイドガイド部の部品構成を示す略線的斜視図である。
【図１２】第２の実施の形態による右サイドガイド部の部品構成を示す略線的平面図である。
【図１３】第２の実施の形態における傾斜サイドガイドの傾斜角度及び幅サイドガイドの位置の変更を示す略線的平面図である。
【図１４】第３の実施の形態による紙幣収納庫の構成を示す略線図である。
【図１５】第３の実施の形態による右サイドガイド部の全体構成を示す略線的斜視図である。
【図１６】第３の実施の形態による右サイドガイド部の部品構成を示す略線的斜視図である。
【図１７】第３の実施の形態による右サイドガイド部の部品構成を示す略線的平面図である。
【図１８】第３の実施の形態による係合片及び係合板の構成を示す略線的断面図である。
【図１９】第３の実施の形態における傾斜サイドガイドの傾斜角度及び幅サイドガイドの位置の変更を示す略線的平面図である。
【図２０】第３の実施の形態による係合片及び係合板の係合箇所の変更を示す略線的断面図である。
【図２１】他の実施の形態による右サイドガイド部の構成を示す略線的斜視図である。
【図２２】他の実施の形態による係合部と被係合部との係合を示す略線的断面図である。
【図２３】従来の紙幣収納庫の構成を示す略線図である。
【図２４】従来のサイドガイドの構成を示す略線的斜視図である。
【発明を実施するための形態】
【００１７】
以下、発明を実施するための形態（以下実施の形態とする）について、図面を用いて説明する。
【００１８】
［１．第１の実施の形態］
［１−１．現金自動預払機及び紙幣入出金機の構成］
図１に外観を示すように、現金自動預払機１は、箱状の筐体２を中心に構成されており、例えば金融機関等に設置され、利用者との間で入金取引や出金取引等の現金に関する取引を行う。以下では、現金自動預払機１のうち利用者が対峙する側を前側とし、その反対を後側とし、当該前側に対峙した利用者から見て左及び右をそれぞれ左側及び右側とし、さらに上側及び下側を定義して説明する。
【００１９】
筐体２は、その前側に利用者が対峙した状態で紙幣の投入やタッチパネルによる操作等をしやすい箇所に顧客応対部３が設けられている。顧客応対部３は、金融機関の顧客等の利用者との間で現金や通帳等を直接やり取りすると共に、取引に関する情報の通知や操作指示の受付を行うようになっており、カード入出口４、入出金口５、操作表示部６、テンキー７、及びレシート発行口８が設けられている。
【００２０】
カード入出口４は、キャッシュカード等の各種カードが挿入又は排出される部分である。カード入出口４の奥側には、各種カードに磁気記録された口座番号等の読み取りを行うカード処理部（図示せず）が設けられている。入出金口５は、利用者が入金する紙幣が投入されると共に、利用者へ出金する紙幣が排出される部分である。
【００２１】
操作表示部６は、取引に際して操作画面を表示するＬＣＤ（Liquid Crystal Display）と、取引の種類の選択、暗証番号や取引金額等を入力するタッチセンサとが一体化されたタッチパネルとなっている。テンキー７は、「０」〜「９」の数字等の入力を受け付ける物理キーであり、暗証番号や取引金額等の入力操作時に用いられる。レシート発行口８は、取引処理の終了時に取引内容等を印字したレシートを発行する部分である。因みにレシート発行口８の奥側には、レシートに取引内容等を印字するレシート処理部（図示せず）が設けられている。
【００２２】
筐体２内には、現金自動預払機１全体を統括制御する主制御部９や、紙幣に関する種々の処理を行う紙幣入出金機１０等が設けられている。
【００２３】
主制御部９は、図示しないＣＰＵ（Central Processing Unit）を中心に構成されており、図示しないＲＯＭ（Read Only Memory）やフラッシュメモリ等から所定のプログラムを読み出して実行することにより、入金取引や出金取引等の種々の処理を行う。また主制御部９は、内部にＲＡＭ（Random Access Memory）、ハードディスクドライブやフラッシュメモリ等でなる記憶部を有しており、この記憶部に種々の情報を記憶させる。
【００２４】
紙幣入出金機１０は、図２に側面図を示すように、その内部に紙幣制御部１１、入出金部１２、搬送部１３、鑑別部１４、一時保留部１５、紙幣収納庫１６、リジェクト庫１７、取忘収納庫１８及び偽券収納庫１９が設けられている。
【００２５】
紙幣制御部１１は、主制御部９と連携しながら、当該紙幣入出金機１０を統括的に制御する。紙幣制御部１１は、主制御部９と同様、図示しないＣＰＵを中心に構成されており、所定のプログラムを実行することにより、入金処理や出金処理等、種々の処理を行う。また紙幣制御部１１は、内部にＲＡＭ及びフラッシュメモリ等でなる記憶部を有しており、この記憶部に種々の情報を記憶させる。
【００２６】
入出金部１２は、上方が開放された箱状の収容器１２Ａを中心に構成されている。収容器１２Ａは、利用者へ受け渡すべき紙幣又は利用者から受け渡される紙幣を前後方向に沿って整列した状態で収容する。この収容器１２Ａの上方には、開閉可能なシャッタが設けられている。搬送部１３は、図示しないモータ、ローラ、ベルト及びガイド等により紙幣入出金機１０内の各部を結ぶような搬送経路を形成している。この搬送部１３は、ローラを適宜回転させ、またベルトを適宜走行させることにより、この搬送経路に沿って紙幣を搬送する。因みに紙幣は、紙や樹脂等により構成され、長方形の薄板状に形成されており、その短辺に沿った方向を進行方向として、すなわち長辺を進行方向の先頭又は末尾として、搬送される。
【００２７】
鑑別部１４は、内部に光学センサ、イメージセンサや磁気センサ等の各種センサを有しており、その内部で紙幣を搬送しながら、各センサによる鑑別結果を得て紙幣制御部１１へ供給する。これに応じて紙幣制御部１１は、取得した鑑別結果に基づき、また読み取った記番号を偽券記番号リストと比較すること等により、当該紙幣の金種及び真偽、並びに損傷の程度等を判別した上で、各紙幣の搬送先を決定する。一時保留部１５は、紙幣制御部１１の制御に基づき、搬送部１３により搬送されてくる紙幣を１枚ずつ収納し、また１枚ずつ繰り出して当該搬送部１３へ受け渡す。
【００２８】
紙幣収納庫１６は、内部に多数の紙幣を集積して収納する。この紙幣収納庫１６は、例えば入金取引において、搬送部１３により紙幣が搬送されてくると、これを取り込んで内部に収納する。また紙幣収納庫１６は、出金取引において、収納している紙幣を１枚ずつ分離して繰り出し、搬送部１３に順次受け渡す。リジェクト庫１７は、鑑別部１４において損傷の程度が大きく再利用すべきでないと鑑別された紙幣（いわゆるリジェクト紙幣）を収納する。取忘収納庫１８は、利用者が入出金部１２から取り忘れた紙幣を収納する。偽券収納庫１９は、鑑別部１４の鑑別結果を基に偽券と判別された紙幣（すなわち偽券）を収納する。
【００２９】
このような紙幣入出金機１０は、利用者から入金された紙幣を金種ごとに振り分けて紙幣収納庫１６に収納させ、また利用者に出金すべき紙幣を紙幣収納庫１６から繰り出して搬送部１３により搬送するようになっている。
【００３０】
［１−２．紙幣収納庫の構成］
紙幣収納庫１６は、図３（Ａ）、（Ｂ）及び（Ｃ）に模式的な三面図を示すように、直方体状の筐体３０内に媒体としての紙幣を収納するようになっている。なお図３では、説明の都合上、一部の部品を透過させ、また省略している。
【００３１】
筐体３０は前後、左右及び上下の各側面をほぼ閉塞しており、内部に集積された紙幣や各部品等を外部から保護する。この筐体３０内には、直方体状の内部空間３０Ｓが形成されると共に、それぞれ板状でなる前側板３０Ｆ、後側板３０Ｒ、底板３０Ｂ及び天井板３０Ｃが設けられている。
【００３２】
また内部空間３０Ｓ内には、紙幣を上面に載置するステージ３１が設けられている。ステージ３１は、板面をほぼ水平に向けた板状に形成され、中央の長方形状でなる主載置部３１Ａ及び左右のステージアーム３１Ｂにより構成されている。主載置部３１Ａは、その上面に、集積方向としての上方向に沿って紙幣を順次載置することにより、複数の紙幣を集積するようになっている。
【００３３】
ステージアーム３１Ｂは、左右方向に細長い角柱状又は直方体状に形成され、主載置部３１Ａの左右両側面における前後方向の中央付近に取り付けられている。またステージアーム３１Ｂの上面は、主載置部３１Ａの上面と同一平面内にある。
【００３４】
またステージアーム３１Ｂにおける左右の両端近傍には、それぞれ上下方向に貫通する丸孔でなる挿通孔が穿設されている。一方、筐体３０の内部空間３０Ｓにおける左右の両端近傍には、上下方向に沿った細長い円柱状のステージシャフト（図示せず）が取り付けられ、このステージシャフトにステージアーム３１Ｂの挿通孔が挿通されている。
【００３５】
さらに筐体３０における左右の側面の内側には、図示しないモータやギア、ベルト等の組み合わせでなるステージ移動部３２が設けられている。このステージ移動部３２は、紙幣制御部１１の制御によりモータを駆動させ、発生した回転方向の力を上下方向へ向かう力に変換し、さらにステージアーム３１Ｂにおける左右の両端近傍に伝達する。これによりステージ移動部３２は、ステージシャフトに沿ってステージ３１全体を上下方向へ移動させ、また所望の高さ（上下方向の位置）において静止させることができる。
【００３６】
また内部空間３０Ｓ内における左右それぞれの端部近傍であって、ステージ３１における主載置部３１Ａと左右のステージ移動部３２との間には、紙幣を案内する左サイドガイド部３３Ｌ及び右サイドガイド部３３Ｒがそれぞれ設けられている。この左サイドガイド部３３Ｌ及び右サイドガイド部３３Ｒは、互いに左右対称に構成されている。以下では、左サイドガイド部３３Ｌ及び右サイドガイド部３３Ｒをまとめてサイドガイド部３３とも呼ぶ。
【００３７】
ここで筐体３０の内部空間３０Ｓ内には、ステージ３１の上側に、天井板３０Ｃ、前側板３０Ｆ、後側板３０Ｒ、ステージ３１の主載置部３１Ａ、左サイドガイド部３３Ｌ及び右サイドガイド部３３Ｒにより規定される、当該内部空間３０Ｓよりも一回り小さな直方体状の空間が形成される。この空間には、紙幣がステージ３１の主載置部３１Ａ上に順次集積されながら収納されていく。以下、この空間を収納空間３０ＳＣと呼ぶ。
【００３８】
内部空間３０Ｓの前側における上寄りの部分には、紙幣を搬送する搬送部３４が設けられている。搬送部３４は、複数の搬送ガイド３５及び複数の搬送ローラ（図示せず）により構成される。搬送部３４は、紙幣制御部１１の制御に基づき各搬送ローラを回転させ、搬送ガイド３５によって紙幣を案内することにより、筐体３０の上面における前端近傍から搬送路Ｗに沿って紙幣を搬送する。このとき搬送部３４は、紙幣を搬送ガイド３５により囲まれる空間内で搬送する。
【００３９】
筐体３０（図３）の上側における前寄りの部分、すなわち搬送部３４の後端近傍には、複数のローラ及び搬送ガイドの組み合わせにより構成された放出部３６が設けられている。この放出部３６は、搬送部１３から搬送部３４を介して紙幣が受け渡されると、当該紙幣を内部空間３０Ｓ内へ放出するようになっている。
【００４０】
具体的に放出部３６は、紙幣の搬送路を上下に挟んで対向する放出ローラ３７及び３８により構成されている。放出ローラ３７及び３８は、いずれも円柱状に形成されている。因みに放出ローラ３７及び３８は、左右方向に沿った中心軸に対し、所定の間隔を空けて左右に１個ずつ挿通されている。これらの中心軸は、図示しないモータやギア等から駆動力が伝達されることにより、各ローラと一体に回転する。
【００４１】
下側の放出ローラ３８における左右の両外側には、複数の舌片を有する舌片ローラ３９がそれぞれ設けられている。舌片ローラ３９は、比較的小径の円柱状に形成された中心部３９Ａと、当該中心部３９Ａから外方へ向けて放射状に細長く形成された複数の舌片３９Ｂとにより構成されている。舌片３９Ｂは、弾性を有する材料により構成されており、また表面の摩擦係数が高められている。
【００４２】
さらに筐体３０の内部空間３０Ｓにおける後側面の上方、すなわち内部空間３０Ｓの後側板３０Ｒにおける内面の上端近傍には、左右に所定の間隔を空けて２個のビルストッパ４１が設けられている。ビルストッパ４１は、小さな直方体状に形成されており、後側板３０Ｒに対し、図示しない弾性体を介して取り付けられている。
【００４３】
かかる構成により紙幣収納庫１６は、搬送部１３（図２）から紙幣が搬送されてくると、これを搬送部３４により搬送し、放出部３６により収納空間３０ＳＣ内へ放出する。この紙幣は、仮に左右方向の位置が左右の何れかに偏っていた場合、サイドガイド部３３により中央へ寄せられながら後方へ進行し、ビルストッパ４１に当接して衝撃が吸収される。さらにこの紙幣は、舌片ローラ３９により下方へ叩き落とされると共に前方へ引き寄せられ、ステージ３１上に集積される。このとき紙幣は、左右方向の位置がサイドガイド部３３により規制されるため、収納空間３０ＳＣ内に整然と集積されながら収納されていく。
【００４４】
因みに放出部３６は、天井板３０Ｃの上側に、図示しないピッカローラを有している。紙幣収納庫１６は、紙幣制御部１１（図２）の制御に基づき、このピッカローラ及び各ローラを適宜回転させ、またステージ３１を上方へ移動させることにより、当該ステージ３１上に集積されている紙幣を１枚ずつに分離して搬送部１３へ順次繰り出すことも可能となっている。
【００４５】
［１−３．サイドガイド部の構成］
次に、サイドガイド部３３の構成について説明する。上述したように、サイドガイド部３３は、左サイドガイド部３３Ｌ及び右サイドガイド部３３Ｒが互いに左右対称に構成されている。このため以下では、右サイドガイド部３３Ｒを中心に説明し、左サイドガイド部３３Ｌについての説明を省略する。
【００４６】
図４及び図５に示すように、右サイドガイド部３３Ｒは、右サイドフレーム５０Ｒ、右傾斜サイドガイド６０Ｒ及び右幅サイドガイド７０Ｒにより構成されている。また左サイドガイド部３３Ｌ（図３）は、右サイドガイド部３３Ｒと同様、左サイドフレーム５０Ｌ、左傾斜サイドガイド６０Ｌ及び左幅サイドガイド７０Ｌにより構成されている。以下では、左サイドフレーム５０Ｌ及び右サイドフレーム５０Ｒをまとめてサイドフレーム５０とも呼び、左傾斜サイドガイド６０Ｌ及び右傾斜サイドガイド６０Ｒをまとめて傾斜サイドガイド６０とも呼び、左幅サイドガイド７０Ｌ及び右幅サイドガイド７０Ｒをまとめて幅サイドガイド７０とも呼ぶ。
【００４７】
右サイドフレーム５０Ｒは、主に底部５１、前側部５２及び後側部５３により構成されている。底部５１は、上下方向に薄く前後方向にやや長い直方体状に形成されており、筐体３０（図３）の底板３０Ｂに取り付けられている。底部５１における前後方向の長さは、前側板３０Ｆ及び後側板３０Ｒの間隔よりも僅かに短くなっている。
【００４８】
底部５１の上面には、回動孔５４、３個の固定孔５５Ａ、５５Ｂ及び５５Ｃ（以下まとめて固定孔５５と呼ぶ）、並びに３個の位置決め孔５６Ａ、５６Ｂ及び５６Ｃ（以下まとめて位置決め孔５６と呼ぶ）が形成されている。回動孔５４は、丸孔でなり、前側部５２の右側前寄りに穿設されている。固定孔５５Ａ、５５Ｂ及び５５Ｃは、ねじ孔でなり、底部５１における前後方向のほぼ中央に、右から左へ向けてほぼ等間隔に並ぶように、離散的に配置されている。
【００４９】
位置決め孔５６Ａ、５６Ｂ及び５６Ｃは、前後方向に長い角孔であり、上面から見た形状が前後方向に長く左右方向に狭い長方形となっている。この位置決め孔５６Ａ、５６Ｂ及び５６Ｃは、右から左へ向かってほぼ等間隔に並ぶように離散的に配置されており、固定孔５５Ａ、５５Ｂ及び５５Ｃの後側にそれぞれ位置している。
【００５０】
前側部５２は、左右方向に薄く上下方向に長い薄板状に形成されており、底部５１の上面における右端の前側部分から上方へ向けて立設されている。後側部５３は、前側部５２と同様の薄板状に形成されており、底部５１の上面における右端の後側部分に、すなわち当該前側部５２の後側から、上方へ向けて立設されている。因みに前側部５２及び後側部５３の間には、ステージ３１のステージアーム３１Ｂ（図３）を挿通させるための隙間が形成されている。
【００５１】
また前側部５２には、左側面の上寄り前端近傍に、左方向（すなわち内側）へ突出した回動支持部５７が設けられている。回動支持部５７は、上下方向に薄い直方体状に形成されており、上下方向に貫通する回動孔５８が穿設されている。回動孔５８は、底部５１の上面に形成された回動孔５４と同様の丸孔でなり、当該回動孔５４のほぼ真上に位置している。
【００５２】
後側部５３には、上寄りの前端近傍に、上係合部８０が形成されている。上係合部８０は、後側部５３に形成された孔部８１と、当該孔部８１の下側約半分を閉塞する係合板８２とにより構成されている。孔部８１は、左右方向から見て長方形状に形成されており、後側部５３を左右方向に貫通している。係合板８２は、後側部５３よりも左右方向に薄い板状に形成されており、その左側面（すなわち内側面）を当該後側部５３の左側面と揃えるように設けられている。係合板８２の上辺における前後方向のほぼ中央には、下方向に向けて矩形状に切り欠かれた切欠部８３が形成されている。
【００５３】
右傾斜サイドガイド６０Ｒは、薄板状に構成された板状部６１を中心に構成されている。板状部６１は、全体として左右方向に薄く上下方向に長い直方体状に形成されており、上下対称となっている。板状部６１における上下方向の長さは、右サイドフレーム５０Ｒにおける底部５１の上面と回動支持部５７の下面との間隔よりも短くなっている。
【００５４】
また板状部６１には、前側における上端近傍及び下端近傍それぞれに、周辺部分に対して局所的に傾斜された局所傾斜部６２が形成されている。因みに２箇所の局所傾斜部６２は、上下対称となる位置に、互いに上下対称となる形状に形成されている。
【００５５】
板状部６１の上面及び下面それぞれにおける前端近傍には、中心軸を上下方向に沿わせた小さな円柱状でなる回動軸６３がそれぞれ立設されている。因みに回動軸６３の外径は、右サイドフレーム５０Ｒの回動孔５４及び５８の孔径よりも僅かに小さくなっている。また上下の回動軸６３における上下両端面同士の間隔は、右サイドフレーム５０Ｒにおける底部５１の上面と回動支持部５７の下面との間隔よりも長くなっている。
【００５６】
このため右傾斜サイドガイド６０Ｒは、上下の回動軸６３が右サイドフレーム５０Ｒの回動孔５４及び５８にそれぞれ挿通された場合、当該回動軸６３を回動中心として回動することができる。このとき右傾斜サイドガイド６０Ｒは、放出方向としての前後方向に対する板状部６１の傾斜角度（以下これを右傾斜サイドガイド６０Ｒの傾斜角度と見なす）を変更することができる。
【００５７】
板状部６１の上面及び下面それぞれにおける後端近傍には、回動軸６３よりも上下方向に短い円柱状でなる連動軸６４がそれぞれ立設されている。
【００５８】
かかる構成により右傾斜サイドガイド６０Ｒは、全体として上下対称に構成されている。また右傾斜サイドガイド６０Ｒは、上述したように左傾斜サイドガイド６０Ｌと左右対称に構成されている。このため左傾斜サイドガイド６０Ｌは、右傾斜サイドガイド６０Ｒと同一の部品を前後方向に沿った回転軸を中心に半回転させることで実現できる。
【００５９】
右幅サイドガイド７０Ｒは、大きく分けて、左右方向に薄く上下方向に長い板状部７１と、当該板状部７１の下端に設けられた下支持部７２と、当該板状部７１の上端に設けられた上支持部７３とにより構成されている。板状部７１における上下方向の長さは、右傾斜サイドガイド６０Ｒの板状部６１よりも長く、且つ当該板状部６１と上下の連動軸６４とを合わせた長さよりも短くなっている。
【００６０】
また板状部７１の右面における前上寄りには、右方向へ向けて係合片７４が突設されている。係合片７４は、前後方向に薄く左右方向にやや長い直方体状に形成されており、その下辺に左側から右方向へ向けて順に３箇所の切欠部７５Ａ、７５Ｂ及び７５Ｃ（以下これらをまとめて切欠部７５とも呼ぶ）が形成されている。この切欠部７５Ａ、７５Ｂ及び７５Ｃは、右サイドフレーム５０Ｒの底部５１に形成された固定孔５５Ａ、５５Ｂ及び５５Ｃ、並びに位置決め孔５６Ａ、５６Ｂ及び５６Ｃとそれぞれ対応している。
【００６１】
下支持部７２は、上下方向に薄く左右方向に短い直方体状に形成されており、前後方向の長さが板状部７１よりも長く、具体的には当該板状部７１の２倍程度になっている。この下支持部７２は、板状部７１の下端に対し、右面及び後面を揃えるようにして固定されており、その前端を当該板状部７１の前面よりも前方へ突出させている。
【００６２】
下支持部７２における左前端近傍には、上下方向に貫通する長孔でなる連動孔７６が穿設されている。連動軸受としての連動孔７６の短径は、右傾斜サイドガイド６０Ｒにおける連動軸６４の軸径よりも僅かに大きくなっている。また下支持部７２における板状部７１の右斜め前には、上下方向に貫通する丸孔でなる固定孔７７が穿設されている。
【００６３】
さらに下支持部７２の下面には、固定孔７７の後側に、下方へ向けて位置決め片７８が立設されている。位置決め片７８は、左右方向に薄く上下方向に短い直方体状に形成されている。この位置決め片７８における左右方向及び前後方向の長さは、右サイドフレーム５０Ｒの底部５１に形成された位置決め孔５６における左右方向及び前後方向の長さよりもそれぞれ僅かずつ小さくなっている。また位置決め片７８における上下方向の長さは、右傾斜サイドガイド６０Ｒにおける連動軸６４の長さよりも短くなっている。
【００６４】
上支持部７３は、上下方向に薄く前後方向に長い直方体状に形成されており、板状部７１の前面における上端から前方に向けて立設されている。上支持部７３の前端は、下支持部７２の前端とほぼ同等に揃えられている。この上支持部７３における前端近傍には、上下方向に貫通する長孔でなる連動孔７９が穿設されている。連動軸受としての連動孔７９は、連動孔７６とほぼ同等の形状に形成されており、且つ当該連動孔７６のほぼ真上に位置している。因みに下支持部７２の上面と上支持部７３の下面との間隔は、右傾斜サイドガイド６０Ｒの板状部６１における上下方向の長さよりも長く、且つ上下の連動軸６４における上下両端面同士の間隔よりも短くなっている。
【００６５】
ところで右サイドガイド部３３Ｒは、図３及び図４に示したように、筐体３０に取り付けられた右サイドフレーム５０Ｒに対し、右傾斜サイドガイド６０Ｒ及び右幅サイドガイド７０Ｒが組み付けられる。具体的に右幅サイドガイド７０Ｒは、下支持部７２の位置決め片７８が右サイドフレーム５０Ｒにおける底部５１の位置決め孔５６に、具体的には３個の位置決め孔５６Ａ、５６Ｂ及び５６Ｃの何れかに挿入される。これにより右幅サイドガイド７０Ｒの下支持部７２は、右サイドフレーム５０Ｒの底部５１に対する左右方向及び前後方向の位置が定められる。
【００６６】
また右幅サイドガイド７０Ｒは、係合片７４の切欠部７５を、具体的には３箇所の切欠部７５Ａ、７５Ｂ及び７５Ｃの何れかを、右サイドフレーム５０Ｒの後側部５３に設けられた係合板８２の切欠部８３に係合させる。これにより右幅サイドガイド７０Ｒの上側部分は、右サイドフレーム５０Ｒの後側部５３に対する左右方向及び前後方向の位置が定められる。
【００６７】
さらに右サイドフレーム５０Ｒにおける底部５１の固定孔５５、具体的には固定孔５５Ａ、５５Ｂ及び５５Ｃの何れかには、右幅サイドガイド７０Ｒの固定孔７７を介して固定ねじ９０が締め付けられる。これにより右幅サイドガイド７０Ｒは、右サイドフレーム５０Ｒに固定される。
【００６８】
一方、右傾斜サイドガイド６０Ｒは、まず上側の回動軸６３が右サイドフレーム５０Ｒにおける回動支持部５７の回動孔５８に挿通されると共に、上側の連動軸６４が右幅サイドガイド７０Ｒにおける上支持部７３の連動孔７９に挿通される。次に右傾斜サイドガイド６０Ｒは、下側の回動軸６３が右サイドフレーム５０Ｒにおける底部５１の回動孔５４に挿通されると共に、下側の連動軸６４が右幅サイドガイド７０Ｒにおける下支持部７２の連動孔７６に挿通される。
【００６９】
これにより右傾斜サイドガイド６０Ｒは、右サイドフレーム５０Ｒ及び右幅サイドガイド７０Ｒに対し固定される。かくして右傾斜サイドガイド６０Ｒ及び右幅サイドガイド７０Ｒは、右サイドフレーム５０Ｒを介して筐体３０に取り付けられる（図４）。因みに左側の左傾斜サイドガイド６０Ｌ及び左幅サイドガイド７０Ｌは、同様に左サイドフレーム５０Ｌを介して筐体３０に取り付けられる。
【００７０】
このように組み立てられたサイドガイド部３３は、紙幣収納庫１６に紙幣が収納される場合、傾斜サイドガイド６０及び幅サイドガイド７０により紙幣を案内する。具体的に傾斜サイドガイド６０は、放出部３６から放出された紙幣の位置が左右方向に偏っていた場合、紙幣の左右の頂点や側辺を板状部６１の局所傾斜部６２に摺動させることにより、当該紙幣を収納空間３０ＳＣの中央へ寄せながら進行させることができる。また幅サイドガイド７０は、放出された紙幣及び集積された紙幣の左右方向への移動範囲を規制することにより、ステージ３１上で収納空間３０ＳＣ内から左右へ紙幣をはみ出させること無く、整然と集積させることができる。
【００７１】
また右傾斜サイドガイド６０Ｒ及び右幅サイドガイド７０Ｒの間には、右サイドフレーム５０Ｒの前側部５２及び後側部５３と同様に、前後方向に十分な隙間が形成される（図３及び図４）。このためステージ３１のステージアーム３１Ｂは、ステージ移動部３２（図３）から伝達される駆動力により、右傾斜サイドガイド６０Ｒ及び右幅サイドガイド７０Ｒと干渉すること無く、両者の間で自在に上下方向へ移動できる。
【００７２】
このようにサイドガイド部３３は、左右それぞれにおいて、サイドフレーム５０を介して傾斜サイドガイド６０及び幅サイドガイド７０が取り付けられ、この幅サイドガイド７０により収納空間３０ＳＣにおける左右方向の長さ、すなわち幅を規定している。
【００７３】
［１−４．収納空間の幅変更］
次に、紙幣収納庫１６において収納空間３０ＳＣにおける左右方向の長さ（幅）の変更について説明する。具体的に紙幣収納庫１６では、左右のサイドガイド部３３において、サイドフレーム５０に対する傾斜サイドガイド６０及び幅サイドガイド７０の取付位置を変更することにより、収納空間３０ＳＣの幅を変更することができる。
【００７４】
なお、上述したように左右のサイドガイド部３３は、互いに左右対称である。このため、以下では右サイドガイド部３３Ｒ、すなわち右サイドフレーム５０Ｒ、右傾斜サイドガイド６０Ｒ及び右幅サイドガイド７０Ｒを例に説明する。
【００７５】
右サイドガイド部３３Ｒは、右幅サイドガイド７０Ｒの下支持部７２が右サイドフレーム５０Ｒの底部５１に対し固定ねじ９０により固定されている。このため右幅サイドガイド７０Ｒは、固定ねじ９０が取り外された上で上方へ持ち上げられることにより、底部５１から下支持部７２が引き離され、位置決め片７８が位置決め孔５６から引き抜かれる。またこのとき係合片７４の切欠部７５は、右サイドフレーム５０Ｒの後側部５３に設けられた係合板８２の切欠部８３から引き抜かれ、その係合が解除される。これにより右幅サイドガイド７０Ｒは、右サイドフレーム５０Ｒに対し左右方向に移動し得る状態となる。
【００７６】
ここで右幅サイドガイド７０Ｒは、下支持部７２の連動孔７６及び上支持部７３の連動孔７９に右傾斜サイドガイド６０Ｒにおける上下の連動軸６４がそれぞれ挿通されている。この右傾斜サイドガイド６０Ｒは、上下の回動軸６３が右サイドフレーム５０Ｒにおける底部５１の回動孔５４及び回動支持部５７の回動孔５８にそれぞれ挿通されている。
【００７７】
このため右傾斜サイドガイド６０Ｒは、右幅サイドガイド７０Ｒの左右方向への移動に連動して、上下の連動軸６４を連動孔７６及び７９に対しそれぞれ前後方向に移動させると共に回動させながら、上下の回動軸６３を回動中心として回動する。これを換言すれば、右傾斜サイドガイド６０Ｒは、左右方向へ移動する右幅サイドガイド７０Ｒに追従して回動することになる。
【００７８】
以下、この実施の形態においては、右幅サイドガイド７０Ｒの連動孔７６及び７９と、右傾斜サイドガイド６０Ｒの連動軸６４とをまとめて連動部とも呼ぶ。この連動部は、下支持部７２及び上支持部７３と共に、収納空間３０ＳＣの外側（上側及び下側）にそれぞれ位置している。また連動部は、下支持部７２及び上支持部７３並びに右幅サイドガイド７０Ｒ及び右傾斜サイドガイド６０Ｒと共に、ステージ３１のステージアーム３１Ｂを移動させるための空間を、前後左右から囲っている。
【００７９】
因みに右幅サイドガイド７０Ｒは、下支持部７２及び上支持部７３の間隔が、右傾斜サイドガイド６０Ｒの板状部６１における上下方向の長さよりも長くなっている。このため右幅サイドガイド７０Ｒは、右傾斜サイドガイド６０Ｒの板状部６１に下支持部７２が制限される範囲内で、上下方向に自由に動くことができる。
【００８０】
右幅サイドガイド７０Ｒは、右サイドフレーム５０Ｒに対し左右方向に移動された後、下支持部７２の位置決め片７８が底部５１の位置決め孔５６に挿入されると共に、係合片７４の切欠部７５を係合板８２の切欠部８３に係合させる。この状態で右幅サイドガイド７０Ｒは、固定孔７７を介して固定ねじ９０が固定孔５５に締め付けられることにより、右サイドフレーム５０Ｒに固定される。この結果、右サイドガイド部３３Ｒでは、右サイドフレーム５０Ｒに対する、右幅サイドガイド７０Ｒの新たな位置及び右傾斜サイドガイド６０Ｒの新たな傾斜角度がそれぞれ定められる。
【００８１】
ここで、右サイドガイド部３３Ｒの右サイドフレーム５０Ｒ、右傾斜サイドガイド６０Ｒ及び右幅サイドガイド７０Ｒは、それぞれ模式的な平面図として、図６（Ａ）、（Ｂ）及び（Ｃ）のように表すことができる。また、右幅サイドガイド７０Ｒの係合片７４及び右サイドフレーム５０Ｒの上係合部８０は、それぞれ後方から見た模式的な断面図として、図７（Ａ）及び（Ｂ）のように表すことができる。
【００８２】
例えば、収納空間３０ＳＣの幅を最も広くしたい場合、右サイドガイド部３３Ｒは、図７と対応する図８（Ａ）に示すように、右幅サイドガイド７０Ｒの位置決め片７８を右サイドフレーム５０Ｒの底部５１における最も外側（右側）の位置決め孔５６Ａに挿入させる。このとき右幅サイドガイド７０Ｒの係合片７４は、図７と対応する図９（Ａ）に示すように、最も内側（左側）の切欠部７５Ａを右サイドフレーム５０Ｒの後側部５３における係合板８２の切欠部８３に係合させる。
【００８３】
このとき右傾斜サイドガイド６０Ｒは、上下の連動軸６４が右幅サイドガイド７０Ｒの連動孔７６及び７９とそれぞれ連動することにより、後端部分を比較的外側（右側）に位置させ、板状部６１の傾斜角度（すなわち右傾斜サイドガイド６０Ｒの傾斜角度）を最も小さくする。この結果、右サイドガイド部３３Ｒは、収納空間３０ＳＣの幅を広げることができる。
【００８４】
また、収納空間３０ＳＣの幅を中程度としたい場合、右サイドガイド部３３Ｒは、図８（Ｂ）に示すように、位置決め片７８を底部５１における中程の位置決め孔５６Ｂに挿入させる。このとき係合片７４は、図９（Ｂ）に示すように、中程の切欠部７５Ｂを切欠部８３に係合させる。
【００８５】
このとき右傾斜サイドガイド６０Ｒは、上下の連動軸６４と連動孔７６及び７９との連動により、後端部分を中程に位置させ、板状部６１の前後方向に対する傾斜角度の大きさを中程度とする。この結果、右サイドガイド部３３Ｒは、収納空間３０ＳＣの幅を中程度とすることができる。
【００８６】
さらに、収納空間３０ＳＣの幅を最も狭めたい場合、右サイドガイド部３３Ｒは、図８（Ｃ）に示すように、位置決め片７８を底部５１における最も内側（左側）の位置決め孔５６Ｃに挿入させる。このとき係合片７４は、図９（Ｃ）に示すように、最も外側（右側）の切欠部７５Ｃを切欠部８３に係合させる。
【００８７】
このとき右傾斜サイドガイド６０Ｒは、上下の連動軸６４と連動孔７６及び７９との連動により、後端部分を比較的内側（左側）に位置させ、板状部６１の前後方向に対する傾斜角度を最も大きくする。この結果、右サイドガイド部３３Ｒは、収納空間３０ＳＣの幅を最も狭めることができる。
【００８８】
このように右サイドガイド部３３Ｒは、収納空間３０ＳＣの幅を変更する場合、右サイドフレーム５０Ｒに対する右幅サイドガイド７０Ｒの取付位置を左右方向に段階的に変更させることにより、これと連動して右傾斜サイドガイド６０Ｒの傾斜角度も段階的に変更できる。
【００８９】
［１−５．動作及び効果］
以上の構成において、第１の実施の形態による現金自動預払機１の紙幣入出金機１０は、紙幣収納庫１６における左右のサイドガイド部３３に連動部を設け、サイドフレーム５０に対し幅サイドガイド７０を左右方向に移動させると共に傾斜サイドガイド６０を回動させ、且つ両者を連動させるようにした。
【００９０】
このためサイドガイド部３３は、サイドフレーム５０に対する幅サイドガイド７０の取付位置を変更させるだけで、これに追従して傾斜サイドガイド６０を当該幅サイドガイド７０の取付位置に対応する傾斜角度に変更し、収納空間３０ＳＣの幅を所望の値に合わせることができる。
【００９１】
このためサイドガイド部３３は、幅サイドガイド７０及び傾斜サイドガイド６０を互いに独立して移動及び回動させる場合と比較して、取付位置及び傾斜角度の変更作業を簡略化することができ、また作業者が誤って互いに対応しない取付位置及び傾斜角度に変更してしまう、といった作業ミスの発生を原理的に排除できる。
【００９２】
この結果、紙幣収納庫１６は、従来の紙幣収納庫５１６のように、形成したい収納空間３０ＳＣの大きさに応じて、サイドガイド５３３を異なる幅のサイドガイド５３３と交換する場合と比較して、複数種類の部品を用意して交換する、といった手間を省略でき、またその管理も不要とすることができる。換言すれば、紙幣収納庫１６は、出荷後に収納空間３０ＳＣの幅を変更する必要が生じた場合に、他の部品を用意する必要なく、直ちに変更作業を行わせることができる。
【００９３】
また傾斜サイドガイド６０は、上下それぞれの前端近傍に設けた回動軸６３をサイドフレーム５０の回動孔５４及び５８にそれぞれ挿通させた状態で回動するため、放出部３６との間隔をほぼ一定に保つことができる。しかしながら傾斜サイドガイド６０は、その反面として、その傾斜角度に応じて後端部分を前後方向に移動させることになる。
【００９４】
そこでサイドガイド部３３は、幅サイドガイド７０の下支持部７２及び上支持部７３に前後方向に沿った長孔でなる連動孔７６及び７９をそれぞれ形成し、これらに傾斜サイドガイド６０の上下における後端近傍に設けた連動軸６４をそれぞれ挿通させるようにした。連動孔７６及び７９は、その構造上、連動軸６４の左右方向への移動を規制する一方、前後方向への移動及び回動を許容できる。
【００９５】
このためサイドガイド部３３は、幅サイドガイド７０の左右方向への移動に伴い、当該幅サイドガイド７０の前端及び傾斜サイドガイド６０の後端の左右方向に関する位置を同等に揃え、且つ両者の前後方向の間隔を変化させながら、当該傾斜サイドガイド６０の傾斜角度を変化させることができる。
【００９６】
またサイドガイド部３３は、仮に位置決め孔５６及び位置決め片７８を省略した場合、作業者に対し、サイドフレーム５０のいずれかの固定孔５５（５５Ａ、５５Ｂ又は５５Ｃ）に対し幅サイドガイド７０の固定孔７７の位置を合わせるよう支持させながら、固定ねじ９０を締め付ける必要があった。これに対し実際のサイドガイド部３３は、位置決め孔５６に位置決め片７８を挿入させることで、サイドフレーム５０に対する幅サイドガイド７０における下側部分の位置を仮止めすることができ、作業者に支持させる必要なく、固定ねじ９０の締め付け作業を容易に行わせることができる。
【００９７】
さらにサイドガイド部３３は、サイドフレーム５０に設けた上係合部８０の係合板８２と幅サイドガイド７０の係合片７４とを係合させることで、当該サイドフレーム５０に対し当該幅サイドガイド７０の上側部分を固定するようにした。これによりサイドガイド部３３は、下側の固定ねじ９０により幅サイドガイド７０の下側部分のみを固定する場合と比較して、上側部分をふらつかせること無く、安定させることができる。
【００９８】
特にサイドガイド部３３は、係合片７４の下辺に切欠部７５Ａ、７５Ｂ及び７５Ｃを形成すると共に、係合板８２の上面に切欠部８３を形成し、当該係合板８２に対し係合片７４を上側から下降させることにより両者を係合させ、また上昇させることによりその係合を解除させるようにした。このためサイドガイド部３３は、サイドフレーム５０に対し幅サイドガイド７０の位置を合わせて下方へ移動させるだけで、下側において位置決め孔５６と位置決め片７８とを係合させると共に、上側において係合板８２と係合片７４とを係合させることができ、また上方へ移動させるだけで、双方の係合を解除できる。
【００９９】
また右傾斜サイドガイド６０Ｒ及び右傾斜サイドガイド６０Ｒは、その形状を左右対称とすると共に、板状部６１、局所傾斜部６２、回動軸６３及び連動軸６４をそれぞれ上下対称とした。これを換言すれば、局所傾斜部６２は、本来的には上側にのみ必要であるところ、下側にも形成した。このため右傾斜サイドガイド６０Ｒは、前後方向に沿った中心軸を中心として半回転されることにより、左傾斜サイドガイド６０Ｌとして用いることができる。すなわち傾斜サイドガイド６０は、左右で部品を共通化することができるので、部品の製造や管理に伴う費用を低減することができる。
【０１００】
以上の構成によれば、第１の実施の形態による紙幣収納庫１６は、左右のサイドガイド部３３において、幅サイドガイド７０の連動孔７６及び７９に傾斜サイドガイド６０における上下の連動軸６４を挿通させた。これによりサイドガイド部３３は、サイドフレーム５０に対し幅サイドガイド７０を左右方向へ移動させることに連動して、傾斜サイドガイド６０を回動させることができる。この結果、紙幣収納庫１６は、部品を交換すること無く収納空間３０ＳＣの幅を変更でき、長辺の長さが異なる紙幣に対応することができる。
【０１０１】
［２．第２の実施の形態］
第２の実施の形態による現金自動預払機１０１（図１）は、第１の実施の形態による現金自動預払機１と比較して、紙幣入出金機１０に代わる紙幣入出金機１１０を有する点において相違するものの、他の点については同様に構成されている。紙幣入出金機１１０（図２）は、第１の実施の形態による紙幣入出金機１０と比較して、紙幣収納庫１６に代わる紙幣収納庫１１６を有する点において相違するものの、他の点については同様に構成されている。
【０１０２】
紙幣収納庫１１６（図３）は、第１の実施の形態による紙幣収納庫１６と比較して、左サイドガイド部３３Ｌ及び右サイドガイド部３３Ｒに代わる左サイドガイド部１３３Ｌ及び右サイドガイド部１３３Ｒを有する点において相違するものの、他の点については同様に構成されている。
【０１０３】
［２−１．サイドガイド部の構成］
左サイドガイド部１３３Ｌ及び右サイドガイド部１３３Ｒは、第１の実施の形態と同様、互いに左右対称に構成されている。このため以下では、右サイドガイド部１３３Ｒを中心に説明し、左サイドガイド部１３３Ｌについての説明を省略する。また以下では、左サイドガイド部１３３Ｌ及び右サイドガイド部１３３Ｒをまとめてサイドガイド部１３３とも呼ぶ。
【０１０４】
図４及び図５と対応する図１０及び図１１に示すように、右サイドガイド部１３３Ｒは、右サイドフレーム１５０Ｒ、右傾斜サイドガイド１６０Ｒ及び右幅サイドガイド１７０Ｒにより構成されている。因みに左サイドガイド部１３３Ｌ（図３）は、右サイドガイド部１３３Ｒと同様、左サイドフレーム１５０Ｌ、左傾斜サイドガイド１６０Ｌ及び左幅サイドガイド１７０Ｌにより構成されている。
【０１０５】
以下では、第１の実施の形態と同様、左サイドフレーム１５０Ｌ及び右サイドフレーム１５０Ｒをまとめてサイドフレーム１５０とも呼ぶ。また、左傾斜サイドガイド１６０Ｌ及び右傾斜サイドガイド１６０Ｒをまとめて傾斜サイドガイド１６０とも呼び、左幅サイドガイド１７０Ｌ及び右幅サイドガイド１７０Ｒをまとめて幅サイドガイド１７０とも呼ぶ。
【０１０６】
右サイドフレーム１５０Ｒは、底部１５１、前側部５２及び後側部１５３により構成されている。底部１５１は、第１の実施の形態による底部５１と同様に構成されているものの、その上面に、固定孔５５Ａ、５５Ｂ及び５５Ｃに代わる固定孔１５５Ａ、１５５Ｂ及び１５５Ｃを有し、また位置決め孔５６に代わる案内溝１５６を有する点において相違する。
【０１０７】
固定孔１５５Ａ、１５５Ｂ及び１５５Ｃ（以下これらをまとめて固定孔１５５とも呼ぶ）は、第１の実施の形態における固定孔５５と同様のねじ孔でなるものの、直線では無く、回動孔５４を中心とした仮想的な円弧に沿って離散的に配置されている。また案内溝１５６は、左右方向に沿って形成されている。後側部１５３は、第１の実施の形態による後側部５３から上係合部８０が省略された構成となっている。
【０１０８】
規制サイドガイドとしての右傾斜サイドガイド１６０Ｒは、第１の実施の形態による右傾斜サイドガイド６０Ｒと同様の板状部６１、局所傾斜部６２及び回動軸６３を有すると共に、固定片１６５を有する一方、連動軸６４が省略されている。固定片１６５は、上下方向に短い小型の直方体状に形成されており、上下方向に貫通する丸孔でなる固定孔１６６が形成されている。
【０１０９】
付勢サイドガイドとしての右幅サイドガイド１７０Ｒは、第１の実施の形態による右幅サイドガイド７０Ｒと比較して、板状部７１を有する点において共通するものの、下支持部７２及び上支持部７３が省略され、その代わりに下連動板１７２及び上連動板１７３が設けられ、さらに案内片１７４及びスプリング１７５が設けられている。
【０１１０】
下連動板１７２は、左右方向に薄く前後方向に長い直方体状に形成されており、板状部７１の前側辺における下端近傍から前方へ向けて突設されている。上連動板１７３は、下連動板１７２と同様の直方体状に形成されており、板状部７１の前辺における上端近傍から前方へ向けて突設されている。
【０１１１】
案内片１７４は、前後方向に薄い直方体状に形成されており、板状部７１の下面から下方へ向けて突設されている。案内片１７４における前後方向の長さは、右サイドフレーム１５０Ｒの底部１５１に形成された案内溝１５６における前後方向の溝幅よりも僅かに小さくなっている。スプリング１７５は、板状部７１の右側面（すなわち外側面）における上下及び前後のほぼ中央に、右方向へ向けて取り付けられている。スプリング１７５は、中心軸を左右方向に向けたコイルばねでなり、その自然状態が比較的長くなっている。
【０１１２】
この右サイドガイド部１３３Ｒは、第１の実施の形態と同様、右サイドフレーム１５０Ｒに対し、右傾斜サイドガイド１６０Ｒ及び右幅サイドガイド１７０Ｒが組み付けられる。具体的に右幅サイドガイド１７０Ｒは、スプリング１７５の左端が右サイドフレーム１５０Ｒにおける後側部１５３の右側面に押し付けられ、当該スプリング１７５を自然状態から圧縮させながら、案内片１７４を右サイドフレーム１５０Ｒにおける底部１５１の案内溝１５６に挿入させる。
【０１１３】
これにより右幅サイドガイド１７０Ｒは、右サイドフレーム１５０Ｒの底部１５１に対し前後方向への移動が規制され、また上下方向に沿った中心軸を中心とした回転も規制される一方、案内溝１５６に沿って左右方向への平行移動が可能となる。この状態で右幅サイドガイド１７０Ｒは、スプリング１７５の復元力が作用するため、右サイドフレーム１５０Ｒの後側部１５３に対し左方向へ付勢される。
【０１１４】
また右傾斜サイドガイド１６０Ｒは、板状部６１を右幅サイドガイド１７０Ｒの下連動板１７２及び上連動板１７３よりも左側（内側）に位置させた状態で、上下の回動軸６３が右サイドフレーム１５０Ｒにおける底部１５１の回動孔５４及び回動支持部５７の回動孔５８にそれぞれ挿通される。このため右傾斜サイドガイド１６０Ｒは、右サイドフレーム１５０Ｒに対し回動軸６３を回動中心として回動し得ると共に、右幅サイドガイド１７０Ｒから下連動板１７２及び上連動板１７３を介してスプリング１７５により左方向（内側）へ付勢される。
【０１１５】
右傾斜サイドガイド１６０Ｒは、スプリング１７５の付勢力により下連動板１７２及び上連動板１７３が板状部６１の右側面に当接されるため、当該下連動板１７２及び上連動板１７３を介して、右幅サイドガイド１７０Ｒの右方向への移動を規制することになる。すなわち右傾斜サイドガイド１６０Ｒは、回動軸６３を中心に回動すると、当該右傾斜サイドガイド１６０Ｒに連動して右幅サイドガイド１７０Ｒを案内溝１５６に沿って左右方向に平行移動させることができる。
【０１１６】
これを換言すれば、右幅サイドガイド１７０Ｒは、スプリング１７５の付勢力により、下連動板１７２及び上連動板１７３を右傾斜サイドガイド１６０Ｒに対し常に当接させることになる。このため右幅サイドガイド１７０Ｒは、右傾斜サイドガイド１６０Ｒの回動に連動して、当該右傾斜サイドガイド１６０Ｒの後端に当該右幅サイドガイド１７０Ｒの前端を追従させるようにして、左右方向の位置が定められる。以下、この実施の形態においては、右幅サイドガイド１７０Ｒの下連動板１７２及び上連動板１７３並びにスプリング１７５と、右傾斜サイドガイド１６０Ｒの板状部６１とをまとめて連動部とも呼ぶ。
【０１１７】
さらに右傾斜サイドガイド１６０Ｒは、回動軸６３を中心に回動して固定片１６５の固定孔１６６が右サイドフレーム１５０Ｒの底部１５１に形成されたいずれかの固定孔１５５に合わせられた状態で、固定ねじ９０が固定孔１６６を介して固定孔１５５に対して締め付けられる。これにより右傾斜サイドガイド１６０Ｒは、右サイドフレーム１５０Ｒに対する位置及び傾斜角度が固定される。またこれに伴って右幅サイドガイド１７０Ｒは、右サイドフレーム１５０Ｒに対する位置が固定される。
【０１１８】
このように第２の実施の形態による右サイドガイド部１３３Ｒは、右傾斜サイドガイド１６０Ｒの回動に連動して右幅サイドガイド１７０Ｒを左右方向に移動させることができる。
【０１１９】
［２−２．収納空間の幅変更］
次に、紙幣収納庫１１６における収納空間３０ＳＣの幅の変更について説明する。第１の実施の形態と同様に、右サイドガイド部１３３Ｒの右サイドフレーム１５０Ｒ、右傾斜サイドガイド１６０Ｒ及び右幅サイドガイド１７０Ｒは、それぞれ模式的な平面図として、図６（Ａ）、（Ｂ）及び（Ｃ）とそれぞれ対応する図１２（Ａ）、（Ｂ）及び（Ｃ）のように表すことができる。
【０１２０】
例えば、収納空間３０ＳＣの幅を最も広くしたい場合、右サイドガイド部１３３Ｒは、図１２と対応する図１３（Ａ）に示すように、右傾斜サイドガイド１６０Ｒの固定片１６５に形成された固定孔１６６を右サイドフレーム１５０Ｒの底部１５１における最も外側（右側）の固定孔１５５Ａに合わせて、固定ねじ９０により固定させる。これにより板状部６１は、前後方向に対する傾斜角度（以下これを右傾斜サイドガイド１６０Ｒの傾斜角度と見なす）を最も小さくする。
【０１２１】
このとき右幅サイドガイド１７０Ｒは、右傾斜サイドガイド１６０Ｒに追従して、すなわち板状部６１の傾斜角度に合わせて左右方向の位置が定まり、比較的外側（右側）に固定される。この結果、右サイドガイド部１３３Ｒは、収納空間３０ＳＣの幅を広げることができる。
【０１２２】
また、収納空間３０ＳＣの幅を中程度としたい場合、右サイドガイド部１３３Ｒは、図１３（Ｂ）に示すように、固定孔１６６を右サイドフレーム１５０Ｒの底部１５１における中程の固定孔１５５Ｂに合わせて、固定ねじ９０により固定させる。これにより板状部６１は、前後方向に対する傾斜角度を中程度とする。
【０１２３】
このとき右幅サイドガイド１７０Ｒは、右傾斜サイドガイド１６０Ｒに追従して、左右方向の位置が定まり、中程に固定される。この結果、右サイドガイド部１３３Ｒは、収納空間３０ＳＣの幅を中程度とすることができる。
【０１２４】
さらに、収納空間３０ＳＣの幅を最も狭めたい場合、右サイドガイド部１３３Ｒは、図１３（Ｃ）に示すように、固定孔１６６を右サイドフレーム１５０Ｒの底部１５１における最も内側（左側）の固定孔１５５Ｃに合わせて、固定ねじ９０により固定させる。これにより板状部６１は、前後方向に対する傾斜角度を最も大きくする。
【０１２５】
このとき右幅サイドガイド１７０Ｒは、右傾斜サイドガイド１６０Ｒに追従して、左右方向の位置が定まり、最も内側（左側）に固定される。この結果、右サイドガイド部１３３Ｒは、収納空間３０ＳＣの幅を狭めることができる。
【０１２６】
このように右サイドガイド部１３３Ｒは、収納空間３０ＳＣの幅を変更する場合、右サイドフレーム１５０Ｒに対する右傾斜サイドガイド１６０Ｒの傾斜角度を変更させることにより、これと連動して右幅サイドガイド１７０Ｒの取付位置を左右方向に変更させることができる。
【０１２７】
［２−３．動作及び効果］
以上の構成において、第２の実施の形態による現金自動預払機１０１の紙幣入出金機１１０は、紙幣収納庫１１６における左右のサイドガイド部１３３に連動部を設け、サイドフレーム１５０に対し傾斜サイドガイド１６０を回動させると共に幅サイドガイド１７０を左右方向へ移動させ、且つ両者を連動させるようにした。
【０１２８】
このためサイドガイド部１３３は、サイドフレーム５０に対する傾斜サイドガイド１６０の傾斜角度を変更させるだけで、これに追従して幅サイドガイド１７０を当該傾斜サイドガイド１６０の傾斜角度と対応する位置に変更し、収納空間３０ＳＣの幅を所望の値に合わせることができる。
【０１２９】
このためサイドガイド部１３３は、第１の実施の形態と同様、傾斜サイドガイド１６０及び幅サイドガイド１７０を互いに独立して移動及び回動させる場合よりも傾斜角度及び取付位置の変更作業を簡略化でき、また作業者が互いに対応しない取付位置及び傾斜角度に変更するといった作業ミスの発生を原理的に排除できる。
【０１３０】
特にサイドガイド部１３３は、スプリング１７５により幅サイドガイド１７０をサイドフレーム１５０の後側部１５３から引き離す方向、すなわち内側へ付勢すると共に、下連動板１７２及び上連動板１７３の内側への移動を傾斜サイドガイド１６０により規制した。このためサイドガイド部１３３は、傾斜サイドガイド１６０を回動させて傾斜角度を変更する際に、幅サイドガイド１７０の下連動板１７２及び上連動板１７３を板状部６１に当接させながら、当該板状部６１の後端に当該板状部７１の前端を追従させるようにして、連動させることができる。すなわちこのサイドガイド部１３３は、第１の実施の形態とは反対に、傾斜サイドガイド１６０に幅サイドガイド１７０を追従させるようにして、両者を連動させることができる。
【０１３１】
またサイドガイド部１３３は、その他の点においても、第１の実施の形態によるサイドガイド部３３と同様の作用効果を奏し得る。
【０１３２】
以上の構成によれば、第２の実施の形態による紙幣収納庫１１６は、左右のサイドガイド部１３３において、スプリング１７５により幅サイドガイド１７０を内側へ付勢する一方、下連動板１７２及び上連動板１７３を傾斜サイドガイド１６０における板状部６１の外側面に当接させ、その移動を規制した。これによりサイドガイド部１３３は、サイドフレーム１５０に対し傾斜サイドガイド１６０を回動させることに連動して、幅サイドガイド１７０を左右方向へ移動させることができる。この結果、紙幣収納庫１１６は、部品を交換すること無く収納空間３０ＳＣの幅を変更でき、長辺の長さが異なる紙幣に対応することができる。
【０１３３】
［３．第３の実施の形態］
第３の実施の形態による現金自動預払機２０１（図１）は、第１の実施の形態による現金自動預払機１と比較して、紙幣入出金機１０に代わる紙幣入出金機２１０を有する点において相違するものの、他の点については同様に構成されている。紙幣入出金機２１０（図２）は、第１の実施の形態による紙幣入出金機１０と比較して、紙幣収納庫１６に代わる紙幣収納庫２１６を有する点において相違するものの、他の点については同様に構成されている。
【０１３４】
図３と対応する図１４に示すように、紙幣収納庫２１６（図３）は、第１の実施の形態による紙幣収納庫１６と比較して、ステージ３１に代わるステージ２３１を有する点において相違する。また紙幣収納庫２１６は、左サイドガイド部３３Ｌ及び右サイドガイド部３３Ｒに代わる左サイドガイド部２３３Ｌ及び右サイドガイド部２３３Ｒを有する点においても相違するものの、他の点については同様に構成されている。
【０１３５】
ステージ２３１は、第１の実施の形態によるステージ３１と比較して、左右にステージアーム３１Ｂに代わるステージアーム２３１Ｂをそれぞれ有する点において相違するものの、主載置部３１Ａについては同様に構成されている。ステージアーム２３１Ｂは、ステージアーム３１Ｂと比較して、形状が同様に構成されているものの、主載置部３１Ａに対する取付位置が、当該主載置部３１Ａの左右両側面における前後方向の中心付近では無く、後端寄りとなっている。
【０１３６】
［３−１．サイドガイド部の構成］
左サイドガイド部２３３Ｌ及び右サイドガイド部２３３Ｒは、第１の実施の形態と同様、互いに左右対称に構成されている。このため以下では、右サイドガイド部２３３Ｒを中心に説明し、左サイドガイド部２３３Ｌについての説明を省略する。また以下では、左サイドガイド部２３３Ｌ及び右サイドガイド部２３３Ｒをまとめてサイドガイド部２３３とも呼ぶ。
【０１３７】
図４及び図５と対応する図１５及び図１６に示すように、右サイドガイド部２３３Ｒは、右サイドフレーム２５０Ｒ、右傾斜サイドガイド６０Ｒ及び右幅サイドガイド２７０Ｒにより構成されている。因みに左サイドガイド部２３３Ｌ（図１４）は、右サイドガイド部２３３Ｒと同様、左サイドフレーム２５０Ｌ、左傾斜サイドガイド６０Ｌ及び左幅サイドガイド２７０Ｌにより構成されている。すなわち右傾斜サイドガイド６０Ｒ及び左傾斜サイドガイド６０Ｌは、第１の実施の形態と同様に構成されている。以下では、左サイドフレーム２５０Ｌ及び右サイドフレーム２５０Ｒをまとめてサイドフレーム２５０とも呼ぶび、左幅サイドガイド２７０Ｌ及び右幅サイドガイド２７０Ｒをまとめて幅サイドガイド２７０とも呼ぶ。
【０１３８】
右サイドフレーム２５０Ｒは、主に底部２５１及び側部２５２により構成されている。底部２５１は、第１の実施の形態による底部５１と同様に構成されており、回動孔５４を有する点においても同様であるものの、他の孔の配置において相違する。すなわち底部２５１は、その上面に、固定孔５５Ａ、５５Ｂ及び５５Ｃ、並びに位置決め孔５６Ａ、５６Ｂ及び５６Ｃに代わる固定孔１５５Ａ、１５５Ｂ及び１５５Ｃ、並びに位置決め孔２５６Ａ、２５６Ｂ及び２５６Ｃを有する。
【０１３９】
固定孔２５５Ａ、２５５Ｂ及び２５５Ｃ（以下これらをまとめて固定孔２５５とも呼ぶ）は、第１の実施の形態における固定孔５５と同様のねじ孔でなるものの、左右方向に沿った直線では無く、底部２５１における右辺の中央付近を中心とした仮想的な円弧に沿って離散的に配置されている。位置決め孔２５６Ａ、２５６Ｂ及び２５６Ｃ（以下これらをまとめて位置決め孔２５６とも呼ぶ）は、それぞれ第１の実施の形態における位置決め孔５６と同様の角孔でなるものの、固定孔２５５Ａ、２５５Ｂ及び２５５Ｃの前方にそれぞれ配置されている。
【０１４０】
側部２５２は、ステージアーム２３１Ｂの位置に応じて、第１の実施の形態における後側部５３を前方へ移動させ前側部５２と一体化したような、前後方向に長い板状に構成されている。この側部２５２は、第１の実施の形態と同様の回動支持部５７及び回動孔５８を有する他、上係合部８０と類似した構成の上係合部２８０を有する。
【０１４１】
上係合部２８０は、孔部８１及び係合板８２とそれぞれ対応する孔部２８１及び係合板２８２により構成されている。孔部２８１及び係合板２８２は、それぞれ孔部８１及び係合板８２と類似した構成となっており、何れも前後方向の長さが延長されている。また係合板２８２の上辺には、後側から前方向に向かって３箇所の切欠部２８３Ａ、２８３Ｂ及び２８３Ｃ（以下これらをまとめて切欠部２８３とも呼ぶ）が離散的に配置されている。因みに右サイドガイド部２３３Ｒでは、位置決め孔２５６が形成された位置に起因して、切欠部２８３Ａ、２８３Ｂ及び２８３Ｃが係合片７４の切欠部７５Ａ、７５Ｂ及び７５Ｃにそれぞれ対応する。
【０１４２】
右幅サイドガイド２７０Ｒは、右幅サイドガイド７０Ｒ（図５）と比較して、板状部７１及び係合片７４を有する点において共通する一方、下支持部７２に代わる下支持部２７２及び固定板２７４、上支持部７３に代わる上支持部２７３、並びに位置決め片７８に代わる位置決め片２７８を有する点において相違する。
【０１４３】
下支持部２７２及び上支持部２７３は、何れも上下方向に薄い比較的小さな直方体状に形成されており、板状部７１の前側面における下端及び上端からそれぞれ前方へ向けて突設されている。下支持部２７２及び上支持部２７３の上面における中央付近には、上下方向に貫通する丸孔でなる連動孔２７６及び２７９がそれぞれ穿設されている。連動孔２７６及び２７９の孔径は、何れも右傾斜サイドガイド６０Ｒにおける連動軸６４の外径よりも僅かに大きくなっている。
【０１４４】
固定板２７４は、下支持部２７２と同様の上下方向に薄い比較的小さな直方体状に形成されており、板状部７１の後側面における下端から後方へ向けて突設されている。固定板２７４の上面における中央付近には、上下方向に貫通する丸孔でなる固定孔２７７が穿設されている。位置決め片２７８は、位置決め片７８と同様、左右方向に薄く上下方向に短い直方体状に形成されており、板状部７１の下面から下方へ向けて立設されている。
【０１４５】
この右サイドガイド部２３３Ｒは、第１の実施の形態と同様、右サイドフレーム２５０Ｒに対し、右傾斜サイドガイド６０Ｒ及び右幅サイドガイド２７０Ｒが組み付けられる。具体的に右幅サイドガイド２７０Ｒは、位置決め片２７８が右サイドフレーム２５０Ｒにおける底部２５１の位置決め孔２５６に、具体的には３個の位置決め孔２５６Ａ、２５６Ｂ及び２５６Ｃの何れかに挿入される。これにより右幅サイドガイド２７０Ｒの下側部分は、右サイドフレーム２５０Ｒの底部２５１に対する左右方向及び前後方向の位置が定められる。
【０１４６】
また右幅サイドガイド２７０Ｒは、係合片７４の切欠部７５を、具体的には３箇所の切欠部７５Ａ、７５Ｂ及び７５Ｃの何れかを、右サイドフレーム２５０Ｒの側部２５２に設けられた係合板２８２の対応する切欠部２８３に、具体的には切欠部２８３Ａ、２８３Ｂ及び２８３Ｃの何れかに係合させる。これにより右幅サイドガイド２７０Ｒの上側部分は、右サイドフレーム２５０Ｒの側部２５２に対する左右方向及び前後方向の位置が定められる。
【０１４７】
さらに右サイドフレーム２５０Ｒにおける底部２５１の固定孔２５５、具体的には固定孔２５５Ａ、２５５Ｂ及び２５５Ｃの何れかには、右幅サイドガイド２７０Ｒの固定孔２７７を介して固定ねじ９０が締め付けられる。これにより右幅サイドガイド２７０Ｒは、右サイドフレーム２５０Ｒに固定される。
【０１４８】
一方、右傾斜サイドガイド６０Ｒは、まず上側の回動軸６３が右サイドフレーム５０Ｒの側部２５２における回動支持部５７の回動孔５８に挿通されると共に、上側の連動軸６４が右幅サイドガイド２７０Ｒにおける上支持部２７３の連動孔２７９に挿通される。次に右傾斜サイドガイド６０Ｒは、下側の回動軸６３が右サイドフレーム２５０Ｒにおける底部２５１の回動孔５４に挿通されると共に、下側の連動軸６４が右幅サイドガイド２７０Ｒにおける下支持部２７２の連動孔２７６に挿通される。これにより右傾斜サイドガイド６０Ｒは、第１の実施の形態と同様、右サイドフレーム２５０Ｒ及び右幅サイドガイド２７０Ｒに対し固定される。
【０１４９】
かくして右傾斜サイドガイド６０Ｒ及び右幅サイドガイド２７０Ｒは、右サイドフレーム２５０Ｒを介して筐体３０に取り付けられる（図１４、図１５）。因みに左側の左傾斜サイドガイド６０Ｌ及び左幅サイドガイド２７０Ｌは、同様に左サイドフレーム２５０Ｌを介して筐体３０に取り付けられる。このように筐体３０に取り付けられた幅サイドガイド２７０は、第１の実施の形態と同様、収納空間３０ＳＣにおける左右方向の長さ（幅）を規定する。
【０１５０】
［３−２．収納空間の幅変更］
次に、紙幣収納庫２１６における収納空間３０ＳＣの幅の変更について、右サイドガイド部２３３Ｒ、すなわち右サイドフレーム２５０Ｒ、右傾斜サイドガイド６０Ｒ及び右幅サイドガイド２７０Ｒを例に説明する。
【０１５１】
右サイドガイド部２３３Ｒは、固定ねじ９０が取り外された上で右幅サイドガイド２７０Ｒが上方へ持ち上げられることにより、右サイドフレーム２５０Ｒにおける底部２５１の位置決め孔２５６から位置決め片２７８が引き抜かれる。またこのとき係合片７４の切欠部７５は、右サイドフレーム２５０Ｒの側部２５２に設けられた係合板２８２の切欠部２８３から引き抜かれ、その係合が解除される。これにより右幅サイドガイド２７０Ｒは、右サイドフレーム２５０Ｒに対し移動し得る状態となる。
【０１５２】
ここで右幅サイドガイド２７０Ｒは、下支持部２７２の連動孔２７６及び上支持部２７３の連動孔２７９に右傾斜サイドガイド６０Ｒにおける上下の連動軸６４がそれぞれ挿通されている。この右傾斜サイドガイド６０Ｒは、上下の回動軸６３が右サイドフレーム２５０Ｒにおける底部２５１の回動孔５４及び回動支持部５７の回動孔５８にそれぞれ挿通されている。
【０１５３】
すなわち右サイドガイド部２３３Ｒは、回動軸６３を中心として右サイドフレーム２５０Ｒに対し右傾斜サイドガイド６０Ｒを回動可能とし、且つ連動軸６４を中心として当該右傾斜サイドガイド６０Ｒに対し右幅サイドガイド２７０Ｒを回動可能としている。
【０１５４】
このため右幅サイドガイド２７０Ｒは、左右方向へ平行移動する場合、右傾斜サイドガイド６０Ｒの傾斜角度を変化させ、且つ当該右幅サイドガイド２７０Ｒ自身を前後方向へ僅かに移動させることになる。これを換言すれば、右サイドガイド部２３３Ｒでは、右幅サイドガイド２７０Ｒの左右方向及び前後方向への移動に連動して、右傾斜サイドガイド６０Ｒを回動させることができる。以下、この実施の形態においては、右幅サイドガイド２７０Ｒの連動孔２７６及び２７９と、右傾斜サイドガイド６０Ｒの連動軸６４とをまとめて連動部とも呼ぶ。
【０１５５】
因みに右幅サイドガイド２７０Ｒは、第１の実施の形態と同様、下支持部２７２及び上支持部２７３の間隔が、右傾斜サイドガイド６０Ｒの板状部６１における上下方向の長さよりも長くなっている。このため右幅サイドガイド７０Ｒは、右傾斜サイドガイド６０Ｒの板状部６１に下支持部２７２が制限される範囲内で、上下方向に自由に動くことができる。
【０１５６】
右幅サイドガイド２７０Ｒは、右サイドフレーム２５０Ｒに対し左右方向及び前後方向に移動された後、位置決め片２７８が底部２５１の位置決め孔２５６に挿入されると共に、係合片７４の切欠部７５を係合板２８２の切欠部２８３に係合させる。この状態で右幅サイドガイド２７０Ｒは、固定孔２７７を介して固定ねじ９０が固定孔２５５に締め付けられることにより、右サイドフレーム２５０Ｒに固定される。この結果、右サイドガイド部２３３Ｒでは、右サイドフレーム２５０Ｒに対する、右幅サイドガイド２７０Ｒの新たな位置及び右傾斜サイドガイド６０Ｒの新たな傾斜角度がそれぞれ定められる。
【０１５７】
ここで、右サイドガイド部３３Ｒの右サイドフレーム５０Ｒ、右傾斜サイドガイド６０Ｒ及び右幅サイドガイド７０Ｒは、それぞれ模式的な平面図として、図６（Ａ）、（Ｂ）及び（Ｃ）とそれぞれ対応する図１７（Ａ）、（Ｂ）及び（Ｃ）のように表すことができる。また、右幅サイドガイド７０Ｒの係合片７４及び右サイドフレーム５０Ｒの上係合部８０は、それぞれ後側から見た模式的な断面図として、図１８（Ａ）及び（Ｂ）のように表すことができ、また上側から見た模式的な断面図として、図１８（Ｃ）及び（Ｄ）のように表すことができる。
【０１５８】
例えば、収納空間３０ＳＣの幅を最も広くしたい場合、右サイドガイド部２３３Ｒは、図１７と対応する図１９（Ａ）に示すように、右幅サイドガイド２７０Ｒの位置決め片２７８を右サイドフレーム２５０Ｒの底部２５１における最も外側（右側）の位置決め孔２５６Ａに挿入させる。このとき右幅サイドガイド２７０Ｒの係合片７４は、図１８（Ｃ）及び（Ｄ）と対応する図２０（Ａ）に示すように、最も内側（左側）の切欠部７５Ａを、右サイドフレーム２５０Ｒの係合板８２における最も後側の切欠部２８３Ａに係合させる。
【０１５９】
このとき右傾斜サイドガイド６０Ｒは、上下の連動軸６４が右幅サイドガイド２７０Ｒの連動孔２７６及び２７９と連動することにより、後端部分を最も比較的外側（右側）に位置させ、前後方向に対する板状部６１の傾斜角度（すなわち右傾斜サイドガイド６０Ｒの傾斜角度）を最も小さくする。この結果、右サイドガイド部２３３Ｒは、収納空間３０ＳＣの幅を広げることができる。
【０１６０】
また、収納空間３０ＳＣの幅を中程度としたい場合、右サイドガイド部２３３Ｒは、図１９（Ｂ）に示すように、位置決め片２７８を底部２５１における中程の位置決め孔２５６Ｂに挿入させる。このとき係合片７４は、図２０（Ｂ）に示すように、中程の切欠部７５Ｂを中程の切欠部２８３Ｂに係合させる。
【０１６１】
このとき右傾斜サイドガイド６０Ｒは、上下の連動軸６４と連動孔２７６及び２７９との連動により、後端部分を中程に位置させ、板状部６１の前後方向に対する傾斜角度の大きさを中程度とする。この結果、右サイドガイド部２３３Ｒは、収納空間３０ＳＣの幅を中程度とすることができる。
【０１６２】
さらに、収納空間３０ＳＣの幅を最も狭めたい場合、右サイドガイド部２３３Ｒは、図１９（Ｃ）に示すように、位置決め片２７８を底部５１における最も内側（左側）の位置決め孔２５６Ｃに挿入させる。このとき係合片７４は、図２０（Ｃ）に示すように、最も外側（右側）の切欠部７５Ｃを最も前側の切欠部２８３Ｃに係合させる。
【０１６３】
このとき右傾斜サイドガイド６０Ｒは、上下の連動軸６４と連動孔２７６及び２７９との連動により、後端部分を比較的内側（左側）に位置させ、板状部６１の前後方向に対する傾斜角度を最も大きくする。この結果、右サイドガイド部２３３Ｒは、収納空間３０ＳＣの幅を最も狭めることができる。
【０１６４】
このように右サイドガイド部２３３Ｒは、収納空間３０ＳＣの幅を変更する場合、右サイドフレーム２５０Ｒに対する右幅サイドガイド２７０Ｒの取付位置を左右方向及び前後方向に変更させることにより、これと連動して右傾斜サイドガイド６０Ｒの傾斜角度も変更できる。
【０１６５】
［３−３．動作及び効果］
以上の構成において、第３の実施の形態による現金自動預払機２０１の紙幣入出金機２１０は、紙幣収納庫２１６における左右のサイドガイド部２３３において、サイドフレーム２５０に対し傾斜サイドガイド６０を回動させ、且つ当該傾斜サイドガイド６０に対し幅サイドガイド２７０回動させるようにした。
【０１６６】
このためサイドガイド部２３３は、サイドフレーム２５０に対する幅サイドガイド２７０の取付位置を変更させるだけで、これに追従して傾斜サイドガイド６０を当該幅サイドガイド７０の取付位置に対応する傾斜角度に変更し、収納空間３０ＳＣの幅を所望の値に合わせることができる。
【０１６７】
このためサイドガイド部２３３は、第１の実施の形態と同様、幅サイドガイド２７０及び傾斜サイドガイド６０を互いに独立して移動及び回動させる場合よりも取付位置及び傾斜角度の変更作業を簡略化でき、また両者を互いに対応しない取付位置及び傾斜角度に変更してしまう、といった作業ミスの発生を原理的に排除できる。
【０１６８】
特に幅サイドガイド２７０は、上下の連動孔２７６及び２７９を長孔ではなく丸孔とした。このためサイドガイド部２３３は、回動軸６３を回動中心とする傾斜サイドガイド６０の傾斜角度に応じてその後端が前後へ移動するところ、これに追従して幅サイドガイド２７０を前後へ移動させることができる。これによりサイドガイド部２３３は、傾斜サイドガイド６０と幅サイドガイド２７０との間の隙間をほぼ一定に保つことができ、これにより紙幣を良好に案内することができる。
【０１６９】
またサイドガイド部２３３は、その他の点においても、第１の実施の形態によるサイドガイド部３３と同様の作用効果を奏し得る。
【０１７０】
以上の構成によれば、第３の実施の形態による紙幣収納庫２１６は、左右のサイドガイド部２３３において、サイドフレーム２５０に対し傾斜サイドガイド６０を回動させ、当該傾斜サイドガイド６０に対し幅サイドガイド２７０回動させるようにした。これによりサイドガイド部２３３は、サイドフレーム２５０に対し幅サイドガイド２７０を左右方向及び前後方向へ移動させることに連動して、傾斜サイドガイド６０を回動させることができる。この結果、紙幣収納庫２１６は、部品を交換すること無く収納空間３０ＳＣの幅を変更でき、長辺の長さが異なる紙幣に対応することができる。
【０１７１】
［４．他の実施の形態］
なお上述した第１の実施の形態においては、円柱状でなる連動軸６４並びに長孔でなる連動孔７６及び７９により連動部を構成した。また第２の実施の形態においては、薄板状でなる下連動板１７２及び上連動板１７３並びに付勢力を発生させるスプリング１７５と板状部６１とにより連動部を構成した。さらに第３の実施の形態においては、円柱状でなる連動軸６４並びに丸孔でなる連動孔２７６及び２７９により連動部を構成した。しかしながら本発明はこれに限らず、種々の形状の部材を組み合わせることにより連動部を構成しても良い。要は、傾斜サイドガイド６０の回動と幅サイドガイド７０等の左右方向への移動とを連動させること、すなわち何れか一方に他方が追従して回動又は移動することができれば良い。この場合、傾斜サイドガイド６０及び幅サイドガイド７０は、回動や左右方向への移動に伴い、前後方向へ移動しても良い。
【０１７２】
また上述した第１の実施の形態においては、サイドフレーム５０の回動孔５４及び５８を丸孔とし、且つ幅サイドガイド７０の連動孔７６及び７９を長孔とすることにより、傾斜サイドガイド６０の傾斜角度に拘わらず、その前端を前後方向へほぼ移動させないようにした場合について述べた。しかしながら本発明はこれに限らず、例えばサイドフレーム５０の回動孔５４及び５８を長孔とし、幅サイドガイド７０の連動孔７６及び７９を丸孔としても良い。この場合、傾斜サイドガイド６０の傾斜角度に拘わらず、その後端を前後方向へほぼ移動させないため、当該傾斜サイドガイド６０と幅サイドガイド７０との前後方向の隙間をほぼ一定に保つことができる。
【０１７３】
さらには、連動孔７６及び７９に代えて、例えば幅サイドガイド７０の下支持部７２及び上支持部７３に前後方向に沿った直線状の溝をそれぞれ形成し、この溝に沿って連動軸６４を前後方向へ移動させても良い。要は、連動軸６４の左右方向への移動を規制しながら、前後方向への移動を許容し、且つ回動を許容するような軸受として機能すれば良い。またこの溝は、必ずしも前後方向に沿った直線状に限らず、例えば適宜湾曲した曲線状としても良い。
【０１７４】
さらに上述した第１の実施の形態においては、サイドフレーム５０に丸孔でなる回動孔５４及び５８を設け、傾斜サイドガイド６０に小さな円柱状の回動軸６３を設けて、両者の組み合わせを回動中心とする場合について述べた。しかしながら本発明はこれに限らず、例えばサイドフレーム５０に回動軸を立設し、傾斜サイドガイド６０に回動孔を形成して、両者の組み合わせを回動中心としても良い。また回動中心としては、円柱状の軸と回動孔との組み合わせに限らず、種々の形状のものを組み合わせても良い。第３の実施の形態についても同様である。
【０１７５】
さらに上述した第１の実施の形態においては、幅サイドガイド７０の下支持部７２及び上支持部２７３に長孔でなる連動孔７６及び７９をそれぞれ形成し、傾斜サイドガイド６０に小さな円柱状の連動軸６４を設けて、両者の組み合わせを連動部とする場合について述べた。しかしながら本発明はこれに限らず、例えば幅サイドガイド７０の下支持部７２及び上支持部２７３にそれぞれ円柱状の連動軸を設け、傾斜サイドガイド６０に長孔でなる連動孔を設けて、両者の組み合わせを連動部としても良い。
【０１７６】
さらに上述した第１の実施の形態においては、幅サイドガイド７０の位置決め片７８を前後方向に長い直方体状とし、サイドフレーム５０の位置決め孔５６をこれに応じて前後方向に長い角孔状とする場合について述べた。しかしながら本発明はこれに限らず、幅サイドガイド７０の位置決め片７８を例えば１本又は２本以上の円柱状や円錐状等、種々の形状としても良い。この場合、サイドフレーム５０の位置決め孔５６をこれに応じた形状の孔とする等して、少なくとも互いの一部を当接させて左右方向への移動を規制できれば良い。或いは、サイドフレーム５０における底部５１の上面から上方に突出した突起を設け、幅サイドガイド７０の下面にこれに対応した孔部を形成し、この突起を孔部に挿入させることで左右方向の移動を規制しても良い。この場合、例えばサイドフレーム５０側の突起を１個とし、幅サイドガイド７０側の孔部を複数としても良い。
【０１７７】
また、例えば第２の実施の形態と同様に、幅サイドガイド７０の下面に案内片１７４（図１１）を設けると共にサイドフレーム５０に案内溝１５６を設けても良い。この場合、サイドフレーム５０に対し幅サイドガイド７０を上方向へ持ち上げること無く、左右方向へ移動させることができる。さらには、例えば位置決め片７８及び位置決め孔５６の双方を省略しても良い。この場合、固定孔５５に固定ねじ９０を締め付けることにより、幅サイドガイド７０の左右方向の位置を定めると共に固定することができる。第３の実施の形態についても同様である。
【０１７８】
さらに上述した第１の実施の形態においては、幅サイドガイド７０における下支持部７２の下面に位置決め片７８を設ける場合について述べた。しかしながら本発明はこれに限らず、例えば位置決め片７８及び位置決め孔５６を省略し、傾斜サイドガイド６０における板状部６１の下面に位置決め片を設けても良い。この場合、サイドフレーム５０の底部５１には、傾斜サイドガイド６０が回動された場合における板状部６１の位置に合わせて、位置決め孔５６に代わる位置決め孔を形成すれば良い。或いは、サイドフレーム５０における底部５１の上面から上方に突出した突起を設け、傾斜サイドガイド６０の下面にこれに対応した孔部を形成し、この突起を孔部に挿入させることで回動角度を規制しても良い。この場合、例えばサイドフレーム５０側の突起を１個とし、傾斜サイドガイド６０側の孔部を複数としても良い。さらには、位置決め片７８及び位置決め孔５６に加えて、これらの位置決め片及び位置決め孔を追加的に設けても良い。第２及び第３の実施の形態についても同様である。
【０１７９】
さらに上述した第１の実施の形態においては、サイドフレーム５０の底部５１にねじ孔でなる固定孔５５を形成し、幅サイドガイド７０の下支持部７２に固定孔７７を形成し、固定ねじ９０を締め付けることにより両者を固定する場合について述べた。しかしながら本発明はこれに限らず、種々の固定部材を用いて両者を固定することができる。
【０１８０】
例えば図２１に斜視図を示すと共に図２２（Ａ）に断面図を示す右サイドガイド部３３３Ｒのように、右幅サイドガイド３７０Ｒの下支持部３７２に係合部３７７を設けると共に、右サイドフレーム３５０Ｒの底部３５１に複数の係合孔３５５を設けても良い。係合部３７７は、細長い薄板状の部材が左右方向から見て略Ｕ字状に湾曲されることにより、後部３７７Ａ、湾曲部３７７Ｂ及び前部３７７Ｃが形成されており、この湾曲部３７７Ｂにおいて弾性変形し得るようになっている。後部３７７Ａは、その上端が下支持部３７２の下面に固定されている。前部３７７Ｃは、その前面における下寄りの箇所に、前方向に突出した爪状部３７７Ｄが形成されている。各係合孔３５５は、角孔状でなり、前辺における上端近傍にその下側の部分よりも後方へ突出した被係合部３５５Ａを形成している。
【０１８１】
この係合部３７７は、下側部分が係合孔３５５に挿入されると、爪状部３７７Ｄが被係合部３５５Ａに干渉して湾曲部３７７Ｂを一時的に弾性変形させた後、図２２（Ｂ）に示すように、湾曲部３７７Ｂを元の形状に戻して爪状部３７７Ｄを被係合部３５５Ａの下側に位置させ、係合する。これにより右サイドガイド部３３３Ｒは、右サイドフレーム３５０Ｒに対し右幅サイドガイド３７０Ｒを固定することができる。また係合部３７７は、前部３７７Ｃが後方へ押し倒され湾曲部３７７Ｂを弾性変形させることにより、爪状部３７７Ｄを被係合部３５５Ａよりも後方へ移動させて係合を解消することができる。これにより右サイドガイド部３３３Ｒは、右サイドフレーム３５０Ｒから右幅サイドガイド３７０Ｒを上方へ引き抜くことによって固定を解除でき、当該右幅サイドガイド３７０Ｒを左右方向へ移動させることができる。
【０１８２】
さらに上述した第１の実施の形態においては、幅サイドガイド７０に設けた係合片７４の切欠部７５とサイドフレーム５０に設けた係合板８２の切欠部８３とを係合させることにより、当該サイドフレーム５０に対する当該幅サイドガイド７０の上側部分の位置を固定する場合について述べた。しかしながら本発明はこれに限らず、幅サイドガイド７０に設けた種々の形状の部材とサイドフレーム５０に設けた種々の形状の部材とを係合させることにより固定しても良い。或いは、ねじ等の他の部材を用いて両者を固定しても良い。さらには、下側の固定ねじ９０による固定のみで十分である場合に、係合片７４及び係合板８２を省略して上側を特に固定しないようにしても良い。第３の実施の形態についても同様である。
【０１８３】
さらに上述した第１の実施の形態においては、幅サイドガイド７０の下支持部７２に固定孔７７を形成し、固定ねじ９０を当該固定孔７７に挿通させて固定孔５５に締め付けることにより、当該幅サイドガイド７０をサイドフレーム５０に固定する場合について述べた。しかしながら本発明はこれに限らず、例えば固定孔７７及び固定孔５５を省略し、若しくは固定孔７７及び固定孔５５に加えて、傾斜サイドガイド６０に第２の実施の形態のような固定片１６５及び固定孔１６６（図１１）を設け、サイドフレーム５０の底部５１に固定孔１５５のような配置のねじ孔を形成し、固定ねじを締め付けることにより傾斜サイドガイド６０をサイドフレーム５０に固定しても良い。第３の実施の形態についても同様である。
【０１８４】
さらに上述した第２の実施の形態においては、スプリング１７５により幅サイドガイド１７０を内側へ、すなわちサイドフレーム１５０の後側部１５３から引き離す方向へ付勢し、下連動板１７２及び上連動板１７３を傾斜サイドガイド１６０における板状部６１の外側面に当接させて幅サイドガイド１７０の内側への移動を規制することにより、両者を連動させる場合について述べた。しかしながら本発明はこれに限らず、例えばスプリング１７５に代えて自然状態における左右方向の長さが短いコイルばねを設けて幅サイドガイド１７０を外側へ付勢し、下連動板１７２及び上連動板１７３を傾斜サイドガイド１６０における板状部６１の内側面に当接させて当該幅サイドガイド１７０の外側への移動を規制することにより、両者を連動させても良い。また、コイルばねでなるスプリング１７５に代えて、付勢力を発生する種々の部材を設けても良い。要は、付勢サイドガイドとしての幅サイドガイド１７０は、種々の手法により、内側及び外側の何れへ付勢されていても良く、規制サイドガイドとしての傾斜サイドガイド１６０によりその移動を規制できれば良い。
【０１８５】
或いは、例えば傾斜サイドガイド１６０とサイドフレーム１５０との間にトーションばねを設けて傾斜サイドガイド１６０の傾斜角度を小さくする方向又は大きくする方向へ回動させるように付勢しても良い。この場合、例えば幅サイドガイド１７０に第３の実施の形態のような固定板２７４及び固定孔２７７を設けると共にサイドフレーム１５０の底部１５１にこれと対応するねじ孔を設け、当該幅サイドガイド１７０をサイドフレーム１５０に固定させる。さらに幅サイドガイド１７０は、下連動板１７２及び上連動板１７３を傾斜サイドガイド１６０における板状部６１の外側面又は内側面に当接させることで、傾斜サイドガイド１６０の回動を規制し、当該傾斜サイドガイド１６０と連動することができる。要は、付勢サイドガイドとしての傾斜サイドガイド１６０は、種々の手法により、内側及び外側の何れへ付勢されていても良く、規制サイドガイドとしての幅サイドガイド１７０によりその回動を規制できれば良い。
【０１８６】
さらに上述した第１の実施の形態においては、サイドガイド部３３において幅サイドガイド７０の位置及び傾斜サイドガイド６０の傾斜角度を３通りに変更する場合について述べた。しかしながら本発明はこれに限らず、その位置及び傾斜角度を２通り又は４通り以上に変更し得るようにしても良い。この場合、固定孔５５、位置決め孔５６及び切欠部７５の数を変更すれば良い。また各位置決め孔５６（５６Ａ、５６Ｂ及び５６Ｃ）における左右方向の間隔については、等間隔に限らず、例えば収納空間３０ＳＣ内に収納する予定がある複数種類の紙幣におけるそれぞれの長辺の長さに合わせて、不等間隔となるように定めても良い。すなわちこの間隔は、等間隔又は不等間隔の何れであっても良い。固定孔５５及び切欠部７５の位置についても同様である。さらには、例えば位置決め片７８及び位置決め孔５６を省略した上で固定孔７７を左右方向に長い長孔とする等して、その位置及び傾斜角度を無段階で連続的に変更できるようにしても良い。第２及び第３の実施の形態についても同様である。
【０１８７】
さらに上述した第１の実施の形態においては、傾斜サイドガイド６０を上下対称に構成することにより、左右で共通の部品を用いる場合について述べた。しかしながら本発明はこれに限らず、上下非対称に構成し、左傾斜サイドガイド６０Ｌと右傾斜サイドガイド６０Ｒとを互いに異なる部品としても良い。第２及び第３の実施の形態についても同様である。
【０１８８】
さらに上述した第１の実施の形態においては、傾斜サイドガイド６０の板状部６１を何れも平板状とする場合について述べた。しかしながら本発明はこれに限らず、例えば板状部６１を湾曲面により構成しても良く、また稜部や頂点の近傍に面取りや丸め等の処理を施しても良い。幅サイドガイド７０の板状部７１についても同様であり、また第２及び第３の実施の形態についても同様である。
【０１８９】
さらに上述した第１の実施の形態においては、サイドフレーム５０の底部５１に回動孔５４等の孔を形成する場合について述べた。しかしながら本発明はこれに限らず、例えば筐体３０の底板３０Ｂ（図３）にこれらの孔を形成しても良い。第２及び第３の実施の形態についても同様である。
【０１９０】
さらに上述した第１の実施の形態においては、ステージ３１の主載置部３１Ａにおける左右両側面における前後方向のほぼ中央から、左右の外方へ向けてステージアーム３１Ｂが設けられ、このステージアーム３１Ｂを前後から挟むように傾斜サイドガイド６０及び幅サイドガイド７０を離して配置する場合について述べた。しかしながら本発明はこれに限らず、例えば主載置部３１Ａの前面に、前方へ向けてステージアームを設ける等、主載置部３１Ａにおける種々の側面から外方へ向けてステージアームを設けても良い。この場合、第３の実施の形態のように、傾斜サイドガイド６０及び幅サイドガイド７０を近接又は当接させるように配置しても良い。第２の実施の形態についても同様である。
【０１９１】
さらに上述した第１の実施の形態においては、紙幣収納庫１６のサイドガイド部３３に本発明を適用する場合について述べた。しかしながら本発明はこれに限らず、例えばリジェクト庫１７や取忘収納庫１８等、紙幣を内部に集積して収納すると共に、収納する紙幣の大きさに合わせて収納空間の幅を変更する種々の箇所に設けるサイドガイド部に適用しても良い。この場合、放出部３６は、収納されている紙幣を分離して繰り出す機能を省略できる。第２及び第３の実施の形態についても同様である。
【０１９２】
さらに上述した第１の実施の形態においては、利用者との間で紙幣を含む現金を取引する現金自動預払機１の紙幣収納庫１６に本発明を適用する場合について述べた。しかしながら本発明はこれに限らず、例えば金融機関の窓口において主に当該金融機関の職員が使用する紙幣処理装置（いわゆるテラーマシン）等、紙幣を取り扱う種々の装置に本発明を適用しても良い。さらには、例えば各種証券や金券、或いは入場券や葉書等、紙葉状の媒体を取り扱う種々の装置において、この媒体を集積して収納する収納庫にサイドガイド部を設け、収納する媒体の大きさに応じて収納空間の幅を変更する場合に、本発明を適用しても良い。
【０１９３】
さらに本発明は、上述した各実施の形態及び他の実施の形態に限定されるものではない。すなわち本発明は、上述した各実施の形態と上述した他の実施の形態の一部又は全部を任意に組み合わせた実施の形態や、一部を抽出した実施の形態にもその適用範囲が及ぶものである。
【０１９４】
さらに上述した第１の実施の形態においては、放出部としての放出部３６と、ステージとしてのステージ３１と、幅サイドガイドとしての幅サイドガイド７０と、傾斜サイドガイドとしての傾斜サイドガイド６０と、連動部としての連動軸６４並びに連動孔７６及び７９とによって媒体収納装置としての紙幣収納庫１６を構成する場合について述べた。しかしながら本発明はこれに限らず、その他種々の構成でなる放出部と、ステージと、幅サイドガイドと、傾斜サイドガイドと、連動部とによって媒体収納装置を構成しても良い。
【０１９５】
さらに上述した第１の実施の形態においては、受取部としての入出金部１２と、放出部としての放出部３６と、ステージとしてのステージ３１と、幅サイドガイドとしての幅サイドガイド７０と、傾斜サイドガイドとしての傾斜サイドガイド６０と、連動部としての連動軸６４並びに連動孔７６及び７９とによって媒体取引装置としての現金自動預払機１を構成する場合について述べた。しかしながら本発明はこれに限らず、その他種々の構成でなる受取部と、放出部と、ステージと、幅サイドガイドと、傾斜サイドガイドと、連動部とによって媒体取引装置を構成しても良い。
【産業上の利用可能性】
【０１９６】
本発明は、紙幣のような紙葉状の媒体を集積して収納する紙幣収納庫でも利用できる。
【符号の説明】
【０１９７】
１、１０１、２０１……現金自動預払機、１０、１１０、２１０……紙幣入出金機、１１……紙幣制御部、１２……入出金部、１３……搬送部、１６、１１６、２１６……紙幣収納庫、３０……筐体、３０Ｓ……内部空間、３０ＳＣ……収納空間、３１、２３１……ステージ、３１Ａ……主載置部、３１Ｂ、２３１Ｂ……ステージアーム、３２……ステージ移動部、３３、１３３、２３３……サイドガイド部、３３Ｌ、１３３Ｌ、２３３Ｌ……左サイドガイド部、３３Ｒ、１３３Ｒ、２３３Ｒ……右サイドガイド部、３６……放出部、５０、１５０、２５０……サイドフレーム、５０Ｌ、１５０Ｌ、２５０Ｌ……左サイドフレーム、５０Ｒ、１５０Ｒ、２５０Ｒ……右サイドフレーム、５１、１５１、２５１……底部、５２、１５２……前側部、５３、１５３……後側部、５４、５８……回動孔、５５、１５５、２５５……固定孔、５６、２５６……位置決め孔、５７……回動支持部、６０、１６０……傾斜サイドガイド、６０Ｌ、１６０Ｌ……左傾斜サイドガイド、６０Ｒ、１６０Ｒ……右傾斜サイドガイド、６１……板状部、６２……局所傾斜部、６３……回動軸、６４……連動軸、７０、１７０、２７０……幅サイドガイド、７０Ｌ、１７０Ｌ、２７０Ｌ……左幅サイドガイド、７０Ｒ、１７０Ｒ、２７０Ｒ……右幅サイドガイド、７１……板状部、７２、２７２……下支持部、７３、２７３……上支持部、７４……係合片、７５、７５Ａ、７５Ｂ、７５Ｃ……切欠部、７６、７９、２７６、２７９……連動孔、７７、２７７……固定孔、７８、２７８……位置決め片、９０……固定ねじ、１５６……案内溝、１６５……固定片、１６６……固定孔、１７２……下連動板、１７３……上連動板、１７４……案内片、１７５……スプリング、２５２……側部、２７４……固定板。
【図１】
0006435772.tif 000002
【図２】
0006435772.tif 000003
【図３】
0006435772.tif 000004
【図４】
0006435772.tif 000005
【図５】
0006435772.tif 000006
【図６】
0006435772.tif 000007
【図７】
0006435772.tif 000008
【図８】
0006435772.tif 000009
【図９】
0006435772.tif 000010
【図１０】
0006435772.tif 000011
【図１１】
0006435772.tif 000012
【図１２】
0006435772.tif 000013
【図１３】
0006435772.tif 000014
【図１４】
0006435772.tif 000015
【図１５】
0006435772.tif 000016
【図１６】
0006435772.tif 000017
【図１７】
0006435772.tif 000018
【図１８】
0006435772.tif 000019
【図１９】
0006435772.tif 000020
【図２０】
0006435772.tif 000021
【図２１】
0006435772.tif 000022
【図２２】
0006435772.tif 000023
【図２３】
0006435772.tif 000024
【図２４】
0006435772.tif 000025